(57)【特許請求の範囲】
【請求項１】
板状メモリが挿脱可能に装着される装置本体と、
上記装置本体の一方の側面において、中央部より一端側に位置して設けられ、少なくとも上記板状メモリに記憶されているデータを選択する選択操作部と、
上記選択操作部により選択された上記データを再生する再生部と、
上記板状メモリが挿脱される第１の位置から上記板状メモリが収納される第２の位置に上記板状メモリをローディングするローディング部と、
上記装置本体の一方の側面において、中央部より他端側に設けられ、上記装置本体に装着された板状メモリをイジェクトするイジェクト操作部と、
上記装置本体の他端側の背面に設けられ、上記板状メモリが上記装置本体の他端側から一端側に向かって挿入される記憶媒体挿脱口とを備え、
上記イジェクト操作部は、上記装置本体の一方の側面と平行に上記板状メモリの上記装置本体への挿入方向に移動されることにより、上記装置本体に装着された板状メモリのイジェクトを行い、
上記ローディング部は、
上記装置本体内に設けられるシャーシと、
上記シャーシ上を、上記板状メモリを保持し、上記装置本体に対して上記板状メモリが挿脱される第１の位置と上記板状メモリが収納される第２の位置との間を移動するホルダと、
上記ホルダに設けられ、上記ホルダが第１の位置にあるときに、上記板状メモリの端子部が接続されるコネクタと、
一端が上記シャーシに係止され、他端が上記ホルダに係止されることにより上記ホルダと上記シャーシとを接続し、付勢方向が反転することで、上記ホルダを、上記第１の位置と上記第２の位置とに選択的に付勢する付勢部材とを有し、
上記装置本体の底面には、上記装置本体に装着される板状メモリの一部を外方に臨ませる窓部を設けられ、
上記ローディング部には、覆板が上記ローディング部の一部を覆うように設けられ、
上記覆板は、上記ホルダの上記装置本体に装着された板状メモリと上記装置本体内の信号処理回路とを電気的に接続するための接続端子を覆うとともに、上記窓部から上記装置本体の外方に臨まされ、
上記覆板には、上記板状メモリの上記装置本体への挿入方向を示すシンボルが設けられ、上記シンボルは、上記ホルダが上記第１の位置にあるときに、上記窓部から透視される記録及び／又は再生装置。
【請求項２】
上記選択操作部は、上記装置本体の一方の側面に直交する方向に移動可能であるとともに、上記装置本体に対して回動可能である請求項１記載の記録及び／又は再生装置。
【請求項３】
上記装置本体の平面であって、上記装置本体の中央部より一端側に位置して、上記板状メモリに記憶されるデータに関する情報が表示される表示部が設けられている請求項１又は請求項２記載の記録及び／又は再生装置。
【請求項４】
上記ローディング部は、更に、上記シャーシに移動可能に設けられ、上記イジェクト操作部により操作されるイジェクト部材を備え、
上記ホルダは、上記イジェクト部材が上記板状メモリの挿入方向に移動されることにより上記第２の位置から上記第１の位置に移動される請求項１記載の記録及び／又は再生装置。
【請求項５】
上記ローディング部は、更に、上記シャーシに回動自在に設けられる回動アームを備え、
上記回動アームは、上記板状メモリの挿入方向に移動される上記イジェクト部材に一端が押圧されることにより、他端が上記ホルダを上記第２の位置から上記第１の位置に移動する請求項４記載の記録及び／又は再生装置。
【請求項６】
上記イジェクト部材は、上記装置本体に装着された板状メモリをイジェクトする方向に付勢されている請求項５記載の記録及び／又は再生装置。
【請求項７】
上記窓部は、上記装置本体に一体に形成された透視板により覆われている請求項１記載の記録及び／又は再生装置。
【請求項８】
上記窓部は、上記板状メモリに貼着されたラベルを上記装置本体の外方に臨ませる請求項１又は請求項７記載の記録及び／又は再生装置。
【請求項９】
板状メモリが挿脱可能に装着される装置本体と、
上記板状メモリを保持し、上記装置本体に対して上記板状メモリが挿脱される第１の位置と上記板状メモリが収納される第２の位置との間を移動するホルダと、
上記ホルダに設けられ、上記ホルダが第１の位置にあるときに、上記板状メモリの端子部が接続されるコネクタと、
上記装置本体の一方の側面において、中央部より一端側に位置して設けられ、少なくとも上記板状メモリに記憶されるデータを選択する選択操作部と、
上記装置本体の一方の側面において、中央部より他端側に設けられ、上記装置本体に装着された板状メモリをイジェクトするイジェクト操作部と、
上記装置本体の他端側の背面に設けられ、上記板状メモリが上記装置本体の他端側から一端側に向かって挿入される記憶媒体挿脱口とを備え、
上記イジェクト操作部は、上記装置本体の一方の側面と平行に上記板状メモリの上記装置本体への挿入方向に移動されることにより、上記装置本体に装着された板状メモリのイジェクトを行い、
上記装置本体の底面には、上記装置本体に装着される板状メモリの一部を外方に臨ませる窓部を設けられ、
上記コネクタには、上記板状メモリと上記装置本体内の信号処理回路とを電気的に接続するための接続端子を覆うとともに上記窓部から外方に臨まされる覆板が設けられ、
上記覆板には、上記板状メモリの上記装置本体への挿入方向を示すシンボルが設けられ、上記シンボルは、上記ホルダが上記第１の位置にあるときに、上記窓部から透視される記録及び／又は再生装置。
【請求項１０】
上記選択操作部は、上記装置本体の一方の側面に直交する方向に移動可能であるとともに、上記装置本体に対して回動可能である請求項９記載の記録及び／又は再生装置。
【請求項１１】
上記装置本体の一の面側であって、上記装置本体の中央部より一端側に位置して、上記板状メモリに記憶されるデータに関する情報が表示される表示部が設けられている請求項９又は請求項１０記載の記録及び／又は再生装置。
【請求項１２】
上記窓部は、上記装置本体に一体に設けられる透視板によって覆われている請求項９記載の記録及び／又は再生装置。
【請求項１３】
上記窓部は、上記板状メモリに貼着されるラベルを外方に臨ませる請求項１２記載の記録及び／又は再生装置。
【請求項１４】
上記覆板は、上記コネクタを覆うように設けられる請求項９，１２，１３のうち何れか１項記載の記録及び／又は再生装置。
【請求項１５】
上記コネクタは、上記板状メモリの端子部に接続される第１の接続端子と、上記第１の接続端子を介して上記板状メモリに電気的に接続されるとともに上記装置本体内の信号処理回路に接続される第２の接続端子とを有し、上記覆板は、上記第２の接続端子を覆うように設けられている請求項１４記載の記録及び／又は再生装置。
【請求項１６】
上記コネクタが上記板状メモリの端子部に接続されるまで、上記ホルダの上記第１の位置から上記第２の位置への移動を規制する規制部材を備える請求項９−請求項１５のうち何れか１項記載の記録及び／又は再生装置。
【請求項１７】
上記規制部材は、上記装置本体内のシャーシに形成された係合部に係合する規制部を有することにより上記ホルダの上記第１の位置から上記第２の位置への移動を規制する請求項１６記載の記録及び／又は再生装置。
【請求項１８】
上記規制部材は、上記コネクタが上記端子部に接続された後、上記ホルダに対する上記規制を解除する請求項１６記載の記録及び／又は再生装置。
【請求項１９】
上記規制部材は、上記ホルダに挿入される上記板状メモリに形成される凹部に係合する突部を有し、上記突部が上記凹部に係合することにより上記ホルダを上記第１の位置に規制する状態を解除する請求項１８記載の記録及び／又は再生装置。
【請求項２０】
上記規制部材は、上記ホルダに回動自在に設けられるとともに一方に付勢され、上記シャーシに形成される係合部に係合する規制部を有し、上記ホルダに挿入される上記板状メモリの前面側と上記突部が係合するとともに他方に回動されることにより、上記規制部が上記係合部と係合し、更に上記ホルダに上記板状メモリが挿入され、上記板状メモリの凹部と上記突部が係合されることにより上記一方に回動され、上記規制部の上記係合部との係合が再び解除される請求項１９記載の記録及び／又は再生装置。
【請求項２１】
上記規制部材は、上記シャーシに形成された係合部に係合する規制部と、上記ホルダに挿入される上記板状メモリの挿入端により押圧される被押圧部とを有し、上記板状メモリが上記第１の位置にあるホルダに挿入され、上記被押圧部が上記挿入端に押圧されることにより上記規制部と上記係合部との係合を解除する請求項１８記載の記録及び／又は再生装置。
【請求項２２】
上記規制部材は、上記ホルダに回動自在に設けられるとともに一方に付勢され、上記ホルダに挿入される上記板状メモリの挿入端に上記被押圧部が係合されるとともに他方に回動されることにより上記規制部と上記係合部との係合が解除される請求項２１記載の記録及び／又は再生装置。
【請求項２３】
上記規制部材は、上記板状メモリが上記ホルダに誤挿入されたとき、上記ホルダに対する上記規制の解除が禁止される請求項２０記載の記録及び／又は再生装置。
【請求項２４】
上記規制部材は、上記シャーシに形成される突部に係合する孔部を備える請求項１８記載の記録及び／又は再生装置。
【請求項２５】
上記規制部材は、上記シャーシに形成される孔部に係合する突部を備える請求項１８記載の記録及び／又は再生装置。
【請求項２６】
上記ホルダは、一端が上記シャーシに係止される付勢部材の他端が係止されることにより上記シャーシに接続され、上記規制部材による上記第１の位置への規制の解除の後、上記付勢部材により上記第２の位置の方向に付勢される請求項１６記載の記録及び／又は再生装置。
【請求項２７】
上記シャーシに移動可能に設けられ、上記イジェクト操作部により操作されるイジェクト部材を備え、
上記ホルダは、上記イジェクト部材が上記板状メモリの挿入方向に移動されることにより上記第２の位置から上記第１の位置に移動される請求項１６記載の記録及び／又は再生装置。
【請求項２８】
上記シャーシに回動自在に設けられる回動アームを備え、
上記回動アームは、上記板状メモリの挿入方向に移動される上記イジェクト部材に一端が押圧されることにより、他端が上記ホルダを上記第２の位置から上記第１の位置に移動する請求項２７記載の記録及び／又は再生装置。
【請求項２９】
上記イジェクト部材は、上記装置本体に装着された板状メモリをイジェクトする方向に付勢されている請求項２７記載の記録及び／又は再生装置。
【請求項３０】
上記ホルダに上記板状メモリの挿脱を行うシャーシの前面側を開閉する蓋体を備える請求項２０記載の記録及び／又は再生装置。
【請求項３１】
上記蓋体は、上記シャーシの前面側を閉塞する閉塞部と、上記閉塞部を上記シャーシに対して回動支持する回動支持部を備える請求項３０記載の記録及び／又は再生装置。
【請求項３２】
上記蓋体は、一端が上記シャーシに係止され他端が上記回動支持部に係止される付勢部材により閉塞方向に付勢される請求項３０記載の記録及び／又は再生装置。
【請求項３３】
上記シャーシに移動可能に設けられるイジェクト部材を備え、上記蓋体は、上記板状メモリの挿入方向に移動される上記イジェクト部材に押圧されることにより開放方向に回動される請求項３２記載の記録及び／又は再生装置。
【請求項３４】
上記蓋体は、上記板状メモリの挿入方向に移動される上記イジェクト部材に形成されたカム部により上記回動支持部に形成された突部が押圧され、上記付勢部材の付勢力に抗して上記シャーシの全面を開放する方向に回動される請求項３３記載の記録及び／又は再生装置。
【請求項３５】
上記コネクタには、上記板状メモリが正規な状態で挿入されたとき、上記板状メモリに形成された凹部に係合される誤挿入防止部が設けられている請求項１６記載の記録及び／又は再生装置。
【発明の詳細な説明】
【０００１】
【技術分野】
本発明は、記憶媒体として板状のメモリを用いる記録及び／又は再生装置に関し、特に板状のメモリが装脱可能に装着される記録及び／又は再生装置に関する。
【０００２】
【背景技術】
従来、パーソナルコンピュータやオーディオ・ビジュアル機器に内蔵される記録及び／又は再生装置や、上記機器の外部記憶装置として用いられる記録及び／又は再生装置として、磁気ディスクや光ディスク等を記録媒体とするものが広く用いられている。
【０００３】
また、オーディオ情報やビデオ情報の記録及び／又は再生装置として、磁気テープや磁気ディスク、あるいは光ディスクを記録媒体とするものが用いられている。
【０００４】
この種の記録及び／又は再生装置にあっては、例えば集積回路やフラッシュメモリ等の固体メモリを備えより小型化が図られた板状に形成されたメモリを記録媒体として用いるものが提案されている。固体メモリを用いた板状のメモリは、大きな記憶容量を確保しながら小型に形成することができるので、このメモリを用いた記録及び／又は再生装置の一層の小型化を図ることができる。
【０００５】
固体メモリを用いたメモリを記憶媒体に用いる記録及び／又は再生装置は、テープカセットやディスクカートリッジに比し十分に小型化が図られる板状をなすメモリに合わせ一層の小型化が可能である。
【０００６】
【発明の開示】
【発明が解決しようとする課題】
記録及び／又は再生装置が小型化されると、この装置の操作モードを選択する操作部や、装置本体に装着されるメモリをイジェクト操作するためのイジェクト操作部等が互いに近接して配設される。
【０００７】
複数の操作部が互いに近接して配設されると、誤った操作をしてしまうおそれがある。記録及び／又は再生操作モードが選択された状態で、誤ってイジェクト操作部が操作されメモリがイジェクトされてしまうと、正確な情報の記録が行えなくなるばかりか、メモリに記録された情報を損傷させてしまうおそれもある。
【０００８】
本発明の目的は、小型化が可能なメモリを用い、一層の小型化が図れる記録及び／又は再生装置の操作性の向上を図ることができる記録及び／又は再生装置を提供することにある。
【０００９】
本発明の他の目的は、小型化が可能な記録及び／又は再生装置の誤操作を防止し、正確な情報信号の記録及び／又は再生を行うことができる記録及び／又は再生装置を提供することにある。
【００１０】
【課題を解決するための手段】
上述したような目的を達成するため、本発明に係る記録及び／又は再生装置は、板状をなすメモリが装脱可能に装着される装置本体を備え、この装置本体の一方の側面において、中央部より一端側の位置にメモリに記憶されているデータの選択等の操作モードを選択する選択操作部を設け、装置本体の一方の側面において、中央部より他端側の位置に上記装置本体に装着されたメモリをイジェクトするイジェクト操作部を設けることにより、データの選択等の操作モードの選択とメモリのイジェクト操作の誤操作を防止する。
操作モードを選択する選択操作部は、装置本体に出没する方向に移動操作されるとともに装置本体に対し回動操作可能であり、イジェクト操作部は、装置本体の一方の側面に平行に移動される。
【００１１】
上記ローディング部は、上記装置本体内に設けられるシャーシと、上記シャーシ上を、上記板状メモリを保持し、上記装置本体に対して上記板状メモリが挿脱される第１の位置と上記板状メモリが収納される第２の位置との間を移動するホルダと、上記ホルダに設けられ、上記ホルダが第１の位置にあるときに、上記板状メモリの端子部が接続されるコネクタと、一端が上記シャーシに係止され、他端が上記ホルダに係止されることにより上記ホルダと上記シャーシとを接続し、付勢方向が反転することで、上記ホルダを、上記第１の位置と上記第２の位置とに選択的に付勢する付勢部材とを有する。
【００１２】
上記装置本体の底面には、上記装置本体に装着される板状メモリの一部を外方に臨ませる窓部を設けられ、上記ローディング部には、覆板が上記ローディング部の一部を覆うように設けられ、上記覆板は、上記ホルダの上記装置本体に装着された板状メモリと上記装置本体内の信号処理回路とを電気的に接続するための接続端子を覆うとともに、上記窓部から上記装置本体の外方に臨まされる。
【００１３】
上記覆板には、上記板状メモリの上記装置本体への挿入方向を示すシンボルが設けられ、上記シンボルは、上記ホルダが上記第１の位置にあるときに、上記窓部から透視される。
【００１４】
本発明の更に他の目的、本発明によって得られる具体的な利点は、以下に説明される実施例の説明から一層明らかにされるであろう。
【００１５】
【発明を実施するための最良の形態】
以下、本発明に係る板状をなすメモリを記録媒体に用いる記録及び／又は再生装置を図面を参照して説明する。
【００１６】
本発明に係る記録及び／又は再生装置は、図１及び図２に示すような板状メモリ１を記憶媒体に用いるものである。この板状メモリ１は、合成樹脂をモールド成型したメモリ本体を構成する筐体２を備え、この筐体２の内部に、例えば３２メガバイト以上の大きな記憶容量を有するフラッシュメモリ等のメモリ素子が設けられている。板状メモリ１は、例えば、図１に示すように、短辺の長さＷ１を略２１．４５ｍｍとなし、長辺の長さＬ１を略５０ｍｍとなし、厚さＤ１を略２．８ｍｍとなす略矩形状に形成されている。
【００１７】
板状メモリ１を構成する筐体２の一方の短辺側である前面２ａ側には、図１及び図２に示すように、前面２ａから底面２ｂに亘るように、端子部３が形成されている。この端子部３には、互いに仕切り壁３ａに分離された複数の電極３ｂが設けられている。筐体２内に設けられたメモリ素子に対する情報の読み出し又は書き込み動作は、端子部３に設けられた電極３ｂを介して行われる。また、端子部３は、仕切り壁３ａにより係合凹部３ｃが形成され、電極３ｂは、係合凹部３ｃの底面に配設されることで、手指等が直接触れないように保護されている。
【００１８】
また、筐体２の端子部３が形成された前面２ａ側の一方のコーナ部には、図１及び図２に示すように、円弧状に切り欠かれた記録及び／又は再生装置への挿入方向を示す切り欠き部４が設けられている。筐体２の切り欠き部４が形成された側の一方の側面２ｃには、図２に示すように、筐体２の底面２ｂ側を開放した誤挿入防止溝５が切り欠き部４に連続して形成されている。この切り欠き部４及び誤挿入防止溝５は、板状メモリ１が記録及び／又は再生装置に装着されるとき、記録及び／又は再生装置に対する挿入方向を規制して誤挿入を防止するためのものである。
【００１９】
筐体２の底面２ｂ側には、端子部３の近傍に位置して、誤って情報信号を半導体メモリに記録することを防止する誤記録防止スイッチ６が設けられている。誤記録防止スイッチ６は、筐体２内の操作子に連結され、一方にスライドされたとき、情報信号の記録を可能となし、他方にスライドされたとき、新たな情報信号が上書きされないようにしている。また、筐体２の一方の側面２ｃには、記録及び／又は再生装置に挿入されたとき、記録及び／又は再生装置側に設けた係合保持部に係合して記録及び／又は再生装置からの脱落を防止する脱落防止用凹部７が形成されている。また、筐体２の他方の側面２ｄ側の略中央部には、装着検出用の係合凹部８が形成されている。この係合凹部８は、記録及び／又は再生装置側に設けられる検出部が係合することによって、板状メモリ１の記録及び／又は再生装置への装着の有無を検出する。
【００２０】
板状メモリ１の筐体２には、図１及び図２に示すように、平面２ｅ側から背面２ｆに亘り、さらに底面２ｂ側に亘ってラベル貼着部９が設けられている。ラベル貼着部９は、筐体２の平面２ｅ側から背面２ｆに亘り、さらに底面２ｂに亘る部分に凹状部を形成して構成されている。ラベル貼着部９は、ラベル１０がラベル貼着部９に貼着されるとき、ラベル１０が筐体２の外周面から突出しない若しくは面一となる深さに形成されている。また、ラベル貼着部９の平面２ｅ側部分は、図１に示すように、筐体２の背面２ｆ側から前面２ａ側の近傍まで設けられている。ラベル貼着部９に貼着されるラベル１０には、この板状メモリ１を用いることができる機種名や板状メモリ１に記録される記録内容等を示す表示が施される。
【００２１】
上述のように構成された板状メモリ１を記録媒体に用いる記録及び／又は再生装置１１は、マイクロホンとスピーカを備え、板状メモリ１に音声データを記録し又は再生するものである。この記録及び／又は再生装置１１は、図３及び図４に示すように、合成樹脂を成形した上下一対のハウジング半体１２ａ，１２ｂを突き合わせ結合した装置本体を構成するハウジング１２を備えている。
【００２２】
ハウジング１２の平面３１側には、図３に示すように、ハウジング１２内に配設された液晶表示体等に構成された表示体３２の表示面３２ａを外方に臨ませる第１の窓部３３が設けられている。第１の窓部３３は、ハウジング１２の前面３４から背面３５に亘る長手方向の中央部より前面３４側に位置する一端部側に設けられている。第１の窓部３３は、光透過性を有する透明な合成樹脂板等によって覆われている。
【００２３】
ハウジング１２の前面３４側の一方のコーナ部近傍には、外部音声を集音するマイクロホン３６が設けられ、ハウジング１２の平面３１側の略中央部には、メニュー選択釦３７、操作モード等を表示体３２に表示させる表示選択釦３８、記録又は再生モードを停止する停止釦３９、記録及び／又は再生装置１１に装着された板状メモリ１に記録された記録内容を消去する消去釦４０が設けられている。
【００２４】
また、ハウジング１２の平面３１側には、図３に示すように、スピーカユニット４５が設けられている。スピーカユニット４５は、ハウジング１２の前面３４から背面３５に亘る長手方向の中央部より背面３５側に位置する他端部側に配設されている。
【００２５】
そして、ハウジング１２の一方の側面４９側には、この記録及び／又は再生装置１１の操作モードを選択する選択操作部５２が設けられている。選択操作部５２は、ハウジング１２の前面３４から背面３５に亘る長手方向の中央部より前面３４側に位置する一端部側に設けられている。この選択操作部５２は、ハウジング１２内に設けた回動支点を中心にして、図３中矢印Ｘ１方向及び矢印Ｘ２方向に回動操作されて記録及び／又は再生装置１１の記録モードや再生モード等の操作モードを選択し、ハウジング１２の側面４９に直交する図３中矢印Ｙ１方向に押圧操作されることにより、選択された操作モードを決定する。
【００２６】
また、選択操作部５２が設けられたハウジング１２の一方の側面４９の長手方向の中央部には、選択された操作モードを固定するホールド釦５１が設けられている。また、この側面４９には、記録及び／又は再生装置１１に装着された板状メモリ１に音声データを記録するための記録開始釦４８が設けられている。
【００２７】
さらに、ハウジング１２の一方の側面４９側には、この記録及び／又は再生装置１１に装着された板状メモリ１をイジェクトするイジェクト操作部５０が設けられている。イジェクト操作部５０は、図３及び図４に示すように、ハウジング１２の前面３４から背面３５に亘る長手方向の中央部より背面３５側に位置する他端部側に設けられている。このイジェクト操作部５０は、板状メモリ１の記録及び／又は再生装置１１への挿入方向である図３中矢印Ｃ１方向に移動されて、記録及び／又は再生装置１１内に装着された板状メモリ１のイジェクト操作を行う。
【００２８】
ハウジング１２の背面３５側には、図３に示すように、記録及び／又は再生装置１１に装着される板状メモリ１を挿脱するためのメモリ挿脱口５５が設けられている。板状メモリ１は、端子部３が設けられた前面２ａ側を挿入端として、ハウジング１２の背面３５から前面３４に向かってハウジング１２の平面３１と平行に記録及び／又は再生装置１１内に挿入される。
【００２９】
ハウジング１２の底面４２側には、図４に示すように、記録及び／又は再生装置１１内に装着された板状メモリ１の平面２ｅ側に設けたラベル貼着部９若しくはこのラベル貼着部９に貼着されたラベル１０の少なくとも一部を外方に臨ませる第２の窓部５６が設けられている。第２の窓部５６は、図４に示すように、ハウジング１２の前面３４から背面３５に亘る長手方向の中央部より背面３５側に位置する他端部側に設けられている。この第２の窓部５６は、ラベル１０等の内容が外部から目立たないようにするため、明暗色の透視板４６によって覆われている。
【００３０】
また、ハウジング１２の底面４２側には、図４に示すように、この記録及び／又は再生装置１１の再生速度を制御する再生速度制御釦５８、マイクロホンの感度を制御するマイクロホン制御釦５９、マイクロホンから入力される音量又は再生音量を制御する音量制御釦６０が設けられている。
【００３１】
さらに、ハウジング１２の底面４２から他方の側面６１に亘って、この記録及び／又は再生装置１１の駆動電源を供給する電池が収納される電池収納部６２が設けられている。電池収納部６２は、開閉可能な電池蓋６３によって覆われている。
【００３２】
ところで、メモリ挿脱口５５を介してハウジング１２内に挿入される板状メモリ１は、ローディング装置により記録及び／又は再生装置１１内の装着位置に装着される。このローディング装置は、図５及び図６に示すように、板状メモリ１が挿入保持されるホルダ１３と、このホルダ１３が取り付けられるシャーシ１４とを備え、ホルダ１３がシャーシ１４に対して移動可能に取り付けられてなる。
【００３３】
ホルダ１３が移動可能に配設されるシャーシ１４は、図５に示すように、底板１５の相対向する両側に一対の第１及び第２の側壁１６，１７が立ち上がり形成されて、断面コ字状に形成されている。
【００３４】
シャーシ１４に移動可能に配設されるホルダ１３は、図５に示すように、板状メモリ１を支持するメモリ支持板１８の相対向する両側に一対の第１及び第２のメモリ保持部１９，２０が設けられている。ホルダ１３の上面側である一対の第１及び第２のメモリ保持部１９，２０間は開放され、これら第１及び第２のメモリ保持部１９，２０間に挿入される板状メモリ１の平面２ｅに設けたラベル貼着部９を外方に臨ませるようにしている。ホルダ１３の開放された一端側は、このホルダ１３に装脱される板状メモリ１の挿脱口２１とされる。ホルダ１３の挿脱口２１が設けられた一端側に対向する他端側には、このホルダ１３に挿入される板状メモリ１に設けた端子部３が電気的に接続されるコネクタ２２が取り付けられている。コネクタ２２は、図５に示すように、板状メモリ１の端子部３を構成する複数の電極３ｂにそれぞれ電気的に接続される複数の端子からなる第１の接続端子２３が設けられている。第１の接続端子２３は、コネクタ２２の内方端側に位置にして設けられている。また、コネクタ２２には、ホルダ１３側に突出するようにして、記録及び／又は再生装置１１内に設けられる信号処理回路と板状メモリ１内のメモリとの間で板状メモリ１に記録され若しくは板状メモリ１に記録された情報信号の授受を行うための複数の端子からなる第２の接続端子２４が設けられている。
【００３５】
コネクタ２２の上面側には、ホルダ１３側に突出して設けられ、コネクタ２２の外方に臨む第２の接続端子２４を覆う覆板２５が設けられている。この覆板２５は、ホルダ１３がハウジング１２内に配設されたとき、ハウジング１２の底面４２側に設けた第２の窓部５６を介して外方に臨まされる。覆板２５の表面には、ホルダ１３に挿入される板状メモリ１の挿入方向や、板状メモリ１の装着の有無を示す表示部２６が印刷や刻印によって設けられている。
【００３６】
上述のように構成されたホルダ１３は、シャーシ１４の底板１５上に載置するようにして、図６中矢印Ｂ方向及び反矢印Ｂ方向に移動可能に配設される。このとき、ホルダ１３は、図示しない移動ガイド軸をシャーシ１４側に設けた移動ガイド孔に係合支持することによってシャーシ１４からの脱落が防止され、底板１５上を、図６中矢印Ｂ方向及び反矢印Ｂ方向に移動可能に取り付けられる。
【００３７】
ホルダ１３とシャーシ１４との間には、トグルバネ２７が取り付けられている。ホルダ１３は、板状メモリ１の記録及び／又は再生装置１１への挿脱を可能となす初期位置にある状態から板状メモリ１がホルダ１３に挿入され、図６中反矢印Ｂ方向に移動される。更にホルダ１３がシャーシ１４の途中位置まで移動されると、トグルバネ２７の付勢方向が反転することにより、トグルバネ２７の付勢力を受けて図６中反矢印Ｂ方向にさらに移動され記録及び／又は再生装置１１内の所定のメモリ装着位置に移動される。
【００３８】
また、ホルダ１３は、装着位置に移動された状態から、図６中矢印Ｂ方向に移動され、シャーシ１４の途中位置まで移動されると、トグルバネ２７の付勢方向が反転することにより、トグルバネ２７の付勢力を受けて図６中矢印Ｂ方向にさらに移動され板状メモリ１の挿脱を可能とする挿脱位置に移動される。
【００３９】
板状メモリ１が挿入され、記録及び／又は再生装置１１内のメモリ装着位置に移動されたホルダ１３は、シャーシ１４の一方の側壁１６上に移動可能に支持されたイジェクト部材２８が図６中矢印Ｂ方向に移動操作されることにより、図６中反矢印Ｂ方向に移動され、挿脱位置に移動される。イジェクト部材２８は、板状メモリ１をホルダ１３に挿入する方向と同方向に移動操作されてホルダ１３に挿入保持された板状メモリ１のイジェクト操作を行うものであるので、板状メモリ１のイジェクト操作の操作感を良好にすることができる。
【００４０】
なお、イジェクト部材２８は、イジェクト部材２８とシャーシ１４の一方の側壁１６との間に張設された引っ張りバネ３０を付勢力を受けて図６中反矢印Ｂ方向に移動付勢されている。
【００４１】
シャーシ１４のホルダ１３の挿脱口２１が臨む一端側には、挿脱口２１を開閉する蓋体２９が回動可能に取り付けられている。蓋体２９は、図示しない付勢部材により常時挿脱口２１を閉塞する方向に回動付勢されている。また、蓋体２９は、イジェクト部材２８の図６中矢印Ｂ方向への移動操作に連動して付勢部材の付勢力に抗して挿脱口２１を開放する方向に回動操作される。
【００４２】
板状メモリ１は、端子部３が設けられた前面２ａ側を挿入端とし、平面２ｅ側を上方に向けてホルダ１３に挿入される。したがって、板状メモリ１は、ホルダ１３に挿入されたとき、平面２ｅに設けたラベル貼着部９が、一対の第１及び第２のメモリ保持部１９，２０間の開放された部分を介して外方に臨む。
【００４３】
上述のようにシャーシ１４上に移動可能に取り付けられたホルダ１３は、挿脱口２１をハウジング１２の背面３５に設けたメモリ挿脱口５５に対向させてハウジング１２内に配設される。このとき、ホルダ１３は、上面側の一対の第１及び第２のメモリ保持部１９，２０間の開放された部分をハウジング１２の底面４２側に位置するようにしてハウジング１２内に配設される。ホルダ１３は、上面側の開放された部分をハウジング１２の底面４２側に対向させてハウジング１２内に配設されることにより、この開放された部分がハウジング１２に設けた第２の窓部５６を介してハウジング１２の外方に臨み、ホルダ１３に挿入された板状メモリ１も第２の窓部５６を介して外方に臨む。
【００４４】
第２の窓部５６は、図７及び図８に示すように、ホルダ１３の上面側の一対の第１及び第２のメモリ保持部１９，２０問の開放された部分及びコネクタ２２の第２の接続端子２４を覆う覆板２５をハウジング１２の外方に臨ませるように長尺な矩形状に形成されている。このように第２の窓部５６が形成されることにより、図７及び図８に示すように、ホルダ１３に挿入された板状メモリ１の平面２ｅ側に設けたラベル貼着部９が第２の窓部５６を介して外方に臨み、ユーザはラベル貼着部９に貼着されたラベル１０に施された表示をハウジング１２の外部から目視することができ、板状メモリ１が記録及び／又は再生装置１１に装着された状態で、装着された板状メモリ１の種類や、板状メモリ１に記録された情報の内容を確認することができる。同時に、覆板２５に施された表示部２６も、第２の窓部５６を介して外方に臨みユーザはハウジング１２の外部から表示部２６を目視することができる。
【００４５】
ところで、覆板２５は、ホルダ１３とともに移動するコネクタ２２に取り付けられているので、板状メモリ１の挿脱に関連してホルダ１３とともに第２の窓部５６内を移動する。そこで、第２の窓部５６の大きさをホルダ１３の移動位置に応じて覆板２５の第２の窓部５６に対向する量が変化するような大きさに形成することにより、覆板２５に施される表示部２６の第２の窓部５６に臨む状態を可変することができる。この表示部２６により、ホルダ１３に板状メモリ１を挿入された状態にあるか、板状メモリ１の挿入を可能とする位置にあるかを容易に識別することができる。すなわち、ホルダ１３が、図７に示すように、板状メモリ１の挿脱を可能となすハウジング１２の背面３５側に設けたメモリ挿脱口５５に近接する位置にあるとき、例えば覆板２５に設けた挿入方向を示す矢印で構成した表示部２６の全体がハウジング１２の外方に臨む。ホルダ１３が、図８に示すようにこのホルダ１３に挿入保持された板状メモリ１を記録及び／又は再生装置１１内の装着位置に装着させる位置に移動したとき、表示部２６を構成する矢印の矢の部分が覆われるような大きさに第２の窓部５６が形成されることにより、ユーザによってホルダ１３に対する板状メモリ１の挿入状態を容易に確認することができる。
【００４６】
ホルダ１３は、上面側の一対の第１及び第２のメモリ保持部１９，２０間の開放された部分を第２の窓部５６に対向するようにしてハウジング１２内に配設される。第１の側壁１６側に設けたイジェクト部材２８は、ハウジング１２の一方の側面４９側に位置する。そして、イジェクト部材２８に設けた操作子２８ａが、ハウジング１２の一方の側面４９側に突出し、図３に示すように、一方の側面４９に沿って図３中矢印Ｃ１方向及び反矢印Ｃ１方向に移動可能に取り付けられたイジェクト操作部５０に係合される。イジェクト操作部５０が板状メモリ１を記録及び／又は再生装置１１内に挿入する図３中矢印Ｃ１方向に移動操作されると、ホルダ１３に挿入保持された板状メモリ１が記録及び／又は再生装置１１の外方に突出されてイジェクト操作が行われる。
【００４７】
上述のように、操作モードを選択する選択操作部５２がハウジング１２の中央部より一端側に位置する部分に設けられ、イジェクト操作部５０がハウジング１２の中央部より他端側に位置する部分に設けられているので、ユーザが記録及び／又は再生装置１１を図９に示すように、片手で把持したとき、選択操作部５２に手指を臨ませると、イジェクト操作部５０が手指により操作しにくい位置に置かれ、ユーザがイジェクト操作部５０を操作するように手指を位置させると、選択操作部５２が手指により操作しにくい位置に置かれるので、ユーザが記録又は再生中に誤ってイジェクト操作部５０を操作して記録及び／又は再生装置１１に装着された板状メモリ１をイジェクトしてしまうような誤操作を確実に回避することができる。
【００４８】
ところで、記録及び／又は再生装置１１の操作モードを選択するための選択操作部５２は、具体的に図１０乃至図１５に示すような回動押圧型スイッチ７０により構成されている。この回動押圧型スイッチ７０は、図１３に示すように、上部開口７１ａを有する合成樹脂製のウエハ７１と、このウエハ７１に回動可能に保持された操作体７２と、この操作体７２の下面に固定された導電性弾性板からなる摺動子７３と、中央の巻回部７４ａの両端から一対の腕部７４ｂ，７４ｃが突出する捻りコイルバネ７４と、ウエハ７１内に配置されたクリック板７５と、ウエハ７１の上部開口７１ａを覆う蓋部材７６とから構成されている。
【００４９】
ウエハ７１は、図１５に示すように、略円形の底部７７と、この底部７７の周囲に全周に亘って形成された周壁７８とからなる。周壁７８には、捻りコイルバネ７４の一対の腕部７４ｂ，７４ｃが係止される一対の係合段部７８ａ，７８ｂが形成されている。底部７７の中央には、操作体７２を軸支する支軸７９が立設されている。支軸７９には、操作体７２が押圧操作されたときの押圧力を受ける平面部７９ａが形成されている。また、底部７７には、操作体７２の回動方向に沿って形成された回動検出用の第１及び第２の固定接点８０，８１と、操作体７２の押圧操作を検出する第３の固定接点８２と、支軸７９を挟んで第３の固定接点８２の反対側に形成され、ＧＮＤに接続された共通接点８３とが設けられている。これら第１乃至第３の固定接点８０〜８２は、それぞれ周壁７８より突出して形成された第１乃至第３の外部出力端子８０ａ〜８２ａに電気的に接続されている。また、共通接点８３も、周壁７８より突出して形成された外部端子８３ａに電気的に接続されている。
【００５０】
周壁７８は、支軸７９を中心にして略円弧状に形成され、この円弧状部分には、操作体７２の回動範囲を規制する規制段部８４が形成されている。この規制段部８４は、操作体７２の回動範囲を規制するもので、中央部分には、操作体７２が押圧操作されたとき移動する操作体７２のガイドを行うガイド凹部８５が形成されている。また、周壁７８には、記録及び／又は再生装置１１のハウジング１２に取り付けるための取付孔８６が形成されている。
【００５１】
以上のようなウエハ７１に配設される操作体７２は、左右対称形状に形成され、図１３に示すように、ウエハ７１内に配置される基部８７と、ウエハ７１から突出する操作部８８と、これら基部８７と操作部８８を連結する連結部８９とからなり、連結部８９は、ウエハ７１の規制段部８４に係合されている。基部８７の中央には、円筒状のボス９１が立設されており、このボス９１に形成された挿通孔９０は、操作体７２の押圧方向を長手方向として形成され、支軸７９が挿通される。また、挿通孔９０の周囲には、捻りコイルバネ７４を配設するための環状溝８７ａが形成されており、この環状溝８７ａには、それぞれ斜め上方向に向かって一対の係合溝９２，９３が形成されている。
【００５２】
図１０に示すように、捻りコイルバネ７４の巻回部７４ａは、ボス９１に嵌合されて環状溝８７ａ内に配設され、両腕部７４ｂ，７４ｃは、係合溝９２，９３に係合され、更にウエハ７１の係合段部７８ａ，７８ｂに係止される。更に、挿通孔９０の平面部７９ａと対向する位置には、この挿通孔９０の長手方向に対して垂直な平面部９０ａが形成されている。平面部９０ａは、図１０に示すように、非操作時には平面部７９ａと離間した状態にあり、回動操作されたとき、図１１に示すように、平面部７９ａと位置がずれた状態にあり、押圧操作されたとき、図１２に示すように、平面部７９ａが当接される。
【００５３】
操作部８８は、基部９７を中心として円弧状に形成され、この操作部８８の中央の内側には、ガイド凹部８５に係合されるガイド突起９４が形成されている。図２に示す操作体７２の回動操作時に、このガイド突起９４は、ガイド凹部８５と非係合状態にあり、ウエハ７１の規制段部８４の外側を移動し、図３に示す操作体２のセンタ位置での押圧操作時に、ガイド突起９４は、ウエハ７１のガイド凹部８５にガイドされて移動する。
【００５４】
以上のような操作体７２に取り付けられる摺動子７３は、導電性の金属板により形成されており、基部８７の下面に取り付けられる一対の取付部９５，９６と、これら取付部９５，９６間に形成された一対の摺接部９７，９８とを有している。各摺接部９７，９８には、突出して第１及び第２の可動接点９７ａ，９８ａが形成され、第２の可動接点９８ａは、共通接点８３と常時接触され、電気的に接続されている。そして、第１の可動接点９７ａは、操作体７２が押圧操作又は回動操作されることで、選択的に第１乃至第３の固定接点８０〜８２に接触され、電気的に接続される。
【００５５】
そして、以上のような操作体７２が取り付けられたウエハ７１には、上部開口７１ａを閉塞するように蓋部材７６が取り付けられる。この蓋部材７６には、この蓋部材７６をウエハ７１に取り付けるための複数の係止部９９が形成されている。蓋部材７６は、これら係止部９９をウエハ７１の周壁７８に沿って挿入し、ウエハ７１の下面に係止することにより、図１４に示すように、ウエハ７１の上部開口７１ａを閉塞する。
【００５６】
次に、以上のように構成された回動押圧型スイッチ７０の操作方法について説明する。この回動押圧型スイッチ７０は、操作体７２が押圧操作されたとき、一方に回動操作されたときと、他方に回動操作されたときの、すなわち３つのモードに切り換えることができる。図１０に示すように、非使用時には、操作体７２は、捻りコイルバネ７４の両腕部７４ｂ，７４ｃがウエハ７１の係合段部７８ａ，７８ｂにそれぞれ係止され、巻回部７４ａが操作体７２のボス９１に巻回されているため、捻りコイルバネ７４によりセンタ位置への付勢力が付与されている。このとき、操作体７２のガイド突起９４は、ウエハ７１のガイド凹部８５と非係合状態にあり、また、操作体７２の挿通孔９０の平面部９０ａと支軸７９の平面部７９ａとが離間した状態にある。また、摺動子７３の第２の可動接点９８ａは、共通接点８３に常時接触しているが、第１の可動接点９７ａは、第１乃至第３の固定接点８０〜８２のいずれにも接触していない状態にある。したがって、回動押圧型スイッチ７０は、何れの電気信号も出力していないオフの状態にある。
【００５７】
以上のような何れの電気信号も出力していない状態を基本状態とし、この基本状態から操作体７２を反時計方向に回動操作すると、図１１に示すように、操作体７２に連動して摺動子７３も支軸７９を中心にして回動し、摺動子７３の第１の可動接点９７ａが回動検出用の第２の固定接点８１に接触する。これにより、回動押圧型スイッチ７０は、第２の外部端子８１ａより、第１の電気信号を出力する。
【００５８】
なお、このとき、捻りコイルバネ７４の一方の腕部７４ｂは、ウエハ７１の係合段部７８ａに係止され、他の腕部７４ｃは、操作体７２の係合溝９３の端部により回動方向に押圧されて係合段部７８ｂから離れた状態にある。すなわち、捻りコイルバネ７４は、腕部７４ｂ，７４ｃが閉じる方向に圧縮されることにより、操作体２にセンタ位置への復帰力を付与している。したがって、ユーザが操作部８８を手放すと、操作体７２は、捻りコイルバネ７４の付勢力で時計方向に回動し、図１０に示すセンタ位置まで自動的に戻る。回動押圧型スイッチ７０は、第１の可動接点９７ａが回動検出用の第２の固定接点８１から離れ、電気的に切断されることで、図１０に示す状態に戻り、オフの状態となる。なお、操作体７２の回動操作中に、ガイド突起９４は、ガイド凹部８５から離れて、規制段部８４の外側を移動する。したがって、回動押圧型スイッチ７０は、操作体７２の回動操作時に誤って操作体７２に押圧力が加わった場合にも、ガイド突起９４が規制段部８４に当接することで、操作体７２の押圧が規制され誤操作を防止することができる。
【００５９】
同様に、操作体７２が時計方向に回動操作された場合、摺動子７３の第２の可動接点９８ａは、共通接点８３に常時接触しており、第１の可動接点９７ａは、回動検出用の第１の固定接点８０に接触し、共通接点８３ａと導通する。これにより、回動押圧型スイッチ７０は、オン状態となり、第１の外部端子８０ａから第２の電気信号を出力する。
【００６０】
また、図１０に示す操作体２が押圧操作される場合、操作部８８をウエハ１の方向へ押圧すると、図１２示すように、操作体７２及び摺動子７３は、挿通孔９０の押圧方向へ移動する。これに伴って、クリック板７５が基部８７に押圧されて座屈変形するため、クリック感が生起される。これと共に、摺動子７３の第１の可動接点９７ａは、第３の固定接点８２に接触する。これにより、回動押圧型スイッチ７０は、オンの状態となり、第３の外部端子８２ａを介して、第３の電気信号を出力する。
【００６１】
このとき、捻りコイルバネ７４は、両腕部７４ｂ，７４ｃがウエハ７１の係合段部７８ａ，７８ｂに係止されているが、巻回部７４ａが操作体７２のボス９１によって押圧方向に移動するため、これら腕部７４ｂ，７４ｃが閉じる方向に圧縮され、操作体７２をセンタ位置へ付勢する。ユーザが操作部８８を手放すと、操作体７２は、捻りコイルバネ７４の付勢力で上昇して図１に示すセンタ位置まで自動的に戻ることになる。これにより、第１の可動接点９７ａは、押圧検出用の固定接点８２から離れ、回動押圧型スイッチ７０は、再びオフ状態となる。なお、回動押圧型スイッチ７０は、操作体７２の押圧操作中に、ガイド突起９４がガイド凹部８５にガイドされて移動するため、操作体７２の押圧操作時に誤って回動方向の力が作用しても、ガイド突起９４がガイド凹部８５の壁面に当接して操作体２の回動を禁止することから、誤操作を防止できる。
【００６２】
記録及び／又は再生装置１１の操作モードを選択するための選択操作部５２は、以上のような回動押圧型スイッチ７０により構成され、図７に示すように、操作体７２が図７中矢印Ｘ１方向又は矢印Ｘ２方向に回動操作され、また、図７中矢印Ｙ１方向に押圧操作されることで、記録及び／又は再生装置１１の操作モードが選択され、決定される。
【００６３】
ここで、具体的に、回動押圧型スイッチ７０により構成される選択操作部５２の使用方法について説明する。記録及び／又は再生装置１１に装着された板状メモリ１に音声データを記録する場合には、ユーザは、図３に示す記録開始釦４８を押圧操作することで、マイクロフォン３６で集音された音声データが装着された板状メモリ１に記録される。記録開始釦４８が再度押圧されると記録動作は停止される。板状メモリ１に記録された音声データを再生する場合、ユーザは、選択操作部５２を図３中矢印Ｘ１方向又はＸ２方向に回動することで、所望の音声データが記録されたフォルダの用件番号を選択する。次いで、ユーザは、選択操作部５２を図３中矢印Ｙ１方向に押圧することで、選択されたフォルダの音声データを再生することができる。また、音声データの再生中に選択操作部５２が図３中矢印Ｘ１方向に回動されると現在再生中の音声データの頭出しが行われ、図３中矢印Ｘ２方向に回動操作すると、現在再生中の音声データの次の音声データが再生される。また、選択操作部５２が断続して図３中矢印Ｘ１方向に回動されると、回動された回動角度分、前の用件に戻ることができ、断続して図３中矢印Ｘ２方向に回動されると、回動角度分、次の用件に進むことができる。
【００６４】
記録及び／又は再生装置１１は、図３に示すメニュー選択釦３７が押圧されるとき、表示体３２の表示面３２ａに操作メニューの一覧が表示される。具体的に、メニュー選択釦３７が押圧操作されたとき、表示体３２の表示面３２ａには、表示される文字を英語と日本語とで切り換える言語選択機能、記憶媒体となる板状メモリ１のフォーマットを行う機能、ビープ音を発生させるビープ切換機能、板状メモリ１への記録可能時間を長時間モード（例えば１２０分）と短時間モード（例えば６０分）とで切り換えるための録音時間切換機能等の記録及び／又は再生装置１１の機能の一覧が表示される。ユーザは、選択操作部５２を図３中矢印Ｘ１方向又は矢印Ｘ２方向に回動することで、表示面３２ａに表示された操作メニューの中から１つを選択し、次いで、図３中矢印Ｙ１方向に押圧することで、選択した記録及び／又は再生装置１１の１つの機能を決定することができる。ユーザは、更に選択操作部５２を図３中矢印Ｘ１方向又は矢印Ｘ２方向に回動することで、例えば選択した動作のオン、オフを選択し、次いで、図３中矢印Ｙ１方向に押圧することで、オン、オフを設定することができる。
【００６５】
ユーザがメニュー選択釦３７を押圧し、表示面３２ａに表示された操作メニューの中から選択操作部５２を図３中矢印Ｘ１方向又は矢印Ｘ２方向に回動することで、録音時間切換機能を選択し、図３中矢印Ｙ１方向に押圧すると、表示面３２ａには長時間モードと短時間モードが表示される。ユーザは、更に選択操作部５２を図３中矢印Ｘ１方向又は矢印Ｘ２方向に回動することで、長時間モードと短時間モードの何れかを選択し、図３中矢印Ｙ１方向に押作することで選択した記録時間を設定する。
【００６６】
上述のように回動押圧型スイッチ７０により構成される選択操作部５２は、３方向に操作することができることから、少ない操作釦で多くの機能を切り換え選択することできる。特に、手のひらサイズにまで小型化された記録及び／又は再生装置１１のような電子機器の場合には、操作釦を設けるスペースも少ないことから、回動押圧型スイッチ７０により構成される選択操作部５２を設けることは有効である。
【００６７】
ところで、記録及び／又は再生装置１１に用いられる板状メモリ１のハウジング１２内に配設されるローディング装置は、具体的には、次のように構成されている。このローディング装置１２０は、図１６及び図１７に示すように、ハウジング１２に取り付けられるシャーシ１４と、このシャーシ１４にスライド可能に取り付けられるとともに、板状メモリ１を保持するホルダ１３とを備える。
【００６８】
シャーシ１４は、図１６及び図１７に示すように、金属板を打ち抜き折曲して形成され、略矩形状の底板１５と、この底板１５の長手方向の両側に互いに略平行となるように立ち上がり形成された第１及び第２の側壁１６，１７とを備え、全体が断面略コ字状となるように形成されている。そして、ホルダ１３は、底板１５と第１及び第２の側壁１６，１７とに囲まれる領域に、板状メモリ１の挿入方向と同じ図１６及び図１７中矢印Ｂ及び反矢印Ｂ方向に移動可能に配設される。
【００６９】
ホルダ１３が配設される底板１５は、長手方向の長さが板状メモリ１の長手方向の長さとほぼ同じ略矩形状に形成され、背面側にホルダ１３の移動をガイドするためのガイド孔１２９，１２９がホルダ１３の移動方向に沿って形成されている。これらガイド孔１２９，１２９は、ホルダ１３の底面に突出したガイド突起が係合され、ホルダ１３の移動領域を規制している。また、第１及び第２の側壁１６，１７にも、ホルダ１３の移動をガイドし、移動領域を規制するガイド孔１３０，１３０がホルダ１３の移動方向に沿って形成されている。
【００７０】
底板１５の板状メモリ１の挿入側となる前面側には、図１６及び図１７中矢印Ｂ方向にスライドしたホルダ１３を同図中反矢印Ｂ方向にスライドさせる回動アーム１３１が取り付けられている。この回動アーム１３１は、中程が、底板１５に設けられた支軸１３２に軸支され、この支軸１３２を中心に図１６及び図１７中矢印Ｃ及び反矢印Ｃ方向に回動可能に支持されている。この回動アーム１３１は、第１及び第２の側壁１６，１７間の間隔とほぼ同じ長さを有し、第１の側壁１６側の一端部に、ホルダ１３を図１６及び図１７中反矢印Ｂ方向に押圧する押圧部１３３が形成され、第２の側壁１７側の他端部に、イジェクト部材２８の押圧部により押圧される被押圧部１３４が形成されてなる。回動アーム１３１の一端部に形成された押圧部１３３は、底板１５に形成された開口部１３５より外方に臨まされている。また、他端部に形成された被押圧部１３４は、イジェクト部材２８との接続を図るため、シャーシ１４の底板１５と第２の側壁１７とに亘って形成された開口部１３６より外方に臨まされている。
【００７１】
回動アーム１３１は、イジェクト部材２８の操作子２８ａにより被押圧部１３４が図１６及び図１７中矢印Ｃ方向に押圧されることで、支軸１３２を中心に同図中矢印Ｃ方向に回動し、他端側の押圧部１３３をシャーシ１４の前面側に移動させる。これにより、シャーシ１４の背面側に位置しているホルダ１３は、シャーシ１４の前面側に移動する押圧部１３３に押圧されて、シャーシ１４の前面側、すなわち図１６及び図１７中反矢印Ｂ方向にスライドされる。
【００７２】
なお、底板１５には、記録及び／又は再生装置１１のハウジング１２に取り付けるための複数の取付孔１３７が形成されている。
【００７３】
以上のようなシャーシ１４にスライド可能に取り付けられるホルダ１３は、図１６及び図１７に示すように、シャーシ１４よりやや小さい大きさで、金属板を折曲して形成されている。このホルダ１３は、メモリ支持板１８の前面側両側に板状メモリ１を保持する第１及び第２のメモリ保持部１９，２０が形成されている。これら第１及び第２のメモリ保持部１９，２０は、メモリ支持板１８の両側を垂直に折り曲げて形成され、板状メモリ１と厚さ分の高さを有する互いに略平行な側壁１４４，１４５と、これら側壁１４４，１４５の先端側をメモリ支持板１８と平行となるように折り曲げて形成された支持片１４６，１４７とから構成されている。ホルダ１３の前面側には第１及び第２のメモリ保持部１９，２０とメモリ支持板１８とで構成される板状メモリ１を挿脱するための挿脱口２１が形成されている。第１のメモリ保持部１９と第２のメモリ保持部２０との間は、開放されており、第１及び第２のメモリ保持部１９，２０が板状メモリ１を保持したとき、ユーザはラベル貼着部９に貼着されたラベル１０をハウジング１２の第２の窓部５６を介して目視することができるようになっている。
【００７４】
また、ホルダ１３の背面側には、板状メモリ１の挿入端に設けられた電極３ｂが接続されるコネクタが取り付けられるコネクタ取付部１４８が形成されている。このコネクタ取付部１４８は、メモリ支持板１８の前面側を除く側縁に形成されたコネクタの取付位置を規制する規制壁１４９ａ，１４９ｂ，１４９ｃとメモリ支持板１８とにより構成されている。そして、規制壁１４９ａ，１４９ｂ，１４９ｃの先端には、コネクタ取付部１４８にコネクタを係止するためのコネクタ係止片１５１が形成されている。また、コネクタ取付部１４８を構成するメモリ支持板１８には、コネクタを位置決めして取り付けるための位置決め孔１５０，１５０が形成されている。
【００７５】
このコネクタ取付部１４８に取り付けられるコネクタ２２は、図１６に示すように、板状メモリ１の電極３ｂとの接続を図るための端子板１５３と、この端子板１５３に取り付けられる断面略コ字状のカバー１５４とから構成される。そして、コネクタ２２は、端子板１５３にカバー１５４が取り付けられることで、内部に板状メモリ１の前面側が収納される収納部が形成され、前面側に端子部３が形成された板状メモリ１の前面が挿入される挿入口１５５が形成されている。
【００７６】
また、カバー１５４には、一方の側壁に、板状メモリ１が挿入された際、板状メモリ１の脱落防止用凹部７に係合される脱落防止片を構成する弾性係合片１６０が設けられている。弾性係合片１６０は、板状メモリ１の脱落防止用凹部７に係合されることで、板状メモリ１をホルダ１３内に保持し、ローディング装置１２０に装着された板状メモリ１が脱落しないようにする。弾性係合片１６０は、板状メモリ１の脱落防止用凹部７に係合するとき、弾性変位することで、利用者にクリック感を与え、利用者に板状メモリ１がホルダ１３に完全に挿入されたことを認識させる。また、この弾性係合片１６０は、板状メモリ１が正規な状態で挿入されなかったとき、板状メモリ１がホルダ１３内に挿入されることを阻止する誤挿入防止片としても機能する。なお、コネクタ２２は、カバー１５４の背面壁に板状メモリ１の背面に設けた切り欠き部４及び誤挿入防止溝５に係合する脱落防止部材を設けてもよい。
【００７７】
コネクタ２２の底面を構成する端子板１５３には、板状メモリ１の端子部３が電気的に接続される第１の接続端子２３と、信号処理回路等の電気回路が組み込まれたプリント配線基板と電気的に接続するためフレキシブルプリント配線基板が接続される第２の接続端子２４とが設けられている。第１の接続端子２３は、板状メモリ１の端子部３を構成する電極３ｂの数に対応して設けられている。これら第１の接続端子２３は、略Ｌ字状に折曲して形成され、この折曲部が上方に突出し、板状メモリ１の電極３ｂに押圧されて弾性変位するように設けられている。第１の接続端子２３は、板状メモリ１が挿入されたとき、板状メモリ１の端子部３の開放側より進入し、電極３ｂに押圧状態で接触することで、電極３ｂと電気的に接続される。
【００７８】
また、第２の接続端子２４には、信号処理回路等の電気回路が組み込まれたプリント配線基板と電気的に接続するためのフレキシブルプリント配線基板が接続される。すなわち、第１の接続端子２３に端子部３が電気的に接続された板状メモリ１は、第２の接続端子２４とハウジング１２に配設されるプリント配線基板とを電気的に接続するフレキシブルプリント配線基板を介して、プリント配線基板に設けられた信号処理回路により制御される。また、また、第２の接続端子２４は、フレキシブルプリント配線基板との接続を容易にするため挿入口１５５の近傍に設けられている。そして、フレキシブル配線基板は、ホルダ１３がシャーシ１４の前面側の挿脱位置と背面側の装着位置とに亘って移動し得る長さに形成されている。上述のような第１の接続端子２３と第２の接続端子２４が設けられたコネクタ２２を構成する端子板１５３の裏面側には、ホルダ１３のメモリ支持板１８に構成されたコネクタ取付部１４８に位置決めして取り付けるための位置決め突起１５８，１５８が設けられる。
【００７９】
コネクタ２２を構成するカバー１５４の天板には、上述した覆板２５が接着剤等により取り付けられる。覆板２５は、端子板１５３に設けられた第２の接続端子２４を覆うようにカバー１５４の天板に取り付けられている。そして、この覆板２５は、ローディング装置１２０がハウジング１２に取り付けられたとき、ハウジング１２の第２の窓部５６を介して外方に臨まされる。すなわち、この覆板２５は、第２の接続端子２４を隠すことができる程度で、且つ第１及び第２のメモリ保持部１９，２０に板状メモリ１が挿入されたとき、ラベル貼着部９に貼着されたラベル１０を隠さない程度の大きさに形成される。この覆板２５の表面には、ホルダ１３に挿入される板状メモリ１の挿入方向や、板状メモリ１の装着の有無を示す表示部２６が印刷や刻印によって設けられている。
【００８０】
端子板１５３にカバー１５４が取り付けられたコネクタ２２は、メモリ支持板１８のコネクタ取付部１４８に形成された位置決め孔１５０，１５０に端子板１５３の位置決め突起１５８，１５８が係合され、コネクタ取付部１４８を構成する規制壁１４９ａ，１４９ｂ，１４９ｃの先端部に形成されたコネクタ係止片１５１が折曲されコネクタ２２が係止されることで、コネクタ取付部１４８に取り付けられる。なお、端子板１５３に形成された位置決め突起１５８，１５８は、メモリ支持板１８の位置決め孔１５０，１５０を挿通し、ホルダ１３のメモリ支持板１８より突出し、この突出した部分がシャーシ１４に形成されたガイド孔１２９，１２９に係合することで、ホルダ１３がシャーシ１４に対して移動する際のガイド突起としても機能する。
【００８１】
なお、ホルダ１３の側壁１４４，１４５と平行なコネクタ取付部１４８を構成する規制板１４９ａ，１４９ｂには、図１６に示すように、外側の面にシャーシ１４の第１及び第２の側壁１６，１７に形成されたガイド孔１３０，１３０に係合されるガイド突起１５９，１５９が設けられている。また、ホルダ１３のメモリ支持板１８には、ホルダ１３の移動方向に沿って、ガイド孔１７１が形成されている。このガイド孔１７１には、シャーシ１４の底板１５に取り付けられた回動アーム１３１の支軸１３２が係合される。すなわち、この支軸１３２も、ホルダ１３がシャーシ１４に対して移動する際のガイド突起としても機能する。
【００８２】
ホルダ１３の第２のメモリ保持部２０を構成する側壁１４５には、図１６、図１７及び図１８に示すように、シャーシ１４に対するホルダ１３の移動を規制する規制部材１６１が回動可能に取り付けられている。規制部材１６１は、基端側に、軸孔１６２が形成され、ホルダ１３の側壁１４５に植立された支軸１６２ａに挿通されることで、図１８中矢印Ｄ及び反矢印Ｄ方向に回動可能に支持されている。
【００８３】
規制部材１６１は、先端側に、板状メモリ１がホルダ１３に挿入された際、板状メモリ１の係合凹部８に係合される係合突部１６３が形成されている。係合突部１６３は、ホルダ１３に保持された板状メモリ１の係合凹部８に係合されるように、ホルダ１３のメモリ支持板１８及び側壁１４５に亘って形成された開口部１６４よりホルダ１３内に臨まされる。また、規制部材１６１の係合突部１６３の更に先端側には、メモリ支持板１８及び側壁１４５に形成された開口部１６４の周縁の裏面側に係止され、規制部材１６１の図１８中矢印Ｄ方向の回動領域を規制する係止部１６５が形成されている。この係止部１６５の近傍には、ホルダ１３がシャーシ１４にスライド可能な状態で取り付けられたとき、シャーシ１４の底板１５の開口部１３６の近傍に設けられた係合突起１７０に係合される規制孔１６６が形成されている。規制孔１６６は、シャーシ１４に形成された係合突起１７０に係合することで、ホルダ１３がシャーシ１４の前面側の挿脱位置よりシャーシ１４の背面側の装着位置にスライドすることを禁止する。すなわち、挿脱位置にあるホルダ１３に板状メモリ１が挿入されるとき、ホルダ１３が規制部材１６１により挿脱位置にロックされていることから、板状メモリ１の端子部３が第１の接続端子２３に確実に接続される。
【００８４】
上述のような規制部材１６１は、付勢部材であるトーションバネ１６７によりホルダ１３の内方側である図１８中矢印Ｄ方向に付勢されている。トーションバネ１６７は、基体部１６７ａがホルダ１３の側壁１４５に植立された支軸１６２ａに規制部材１６１の上側から嵌合される。更にトーションバネ１６７の一方のアーム部１６７ｂがホルダ１３の側壁１４５に形成された係止片１６８に係止され、他方のアーム部１６７ｃが規制部材１６１に形成された係止片１６９に係止される。上述の構成によりトーションバネ１６７は、規制部材１６１を図１８中矢印Ｄ方向に付勢している。規制部材１６１は、先端部の係止部１６５を開口部１６４の近傍のメモリ支持板１８の裏面側に係止させ、係合突部１６３を開口部１６４よりホルダ１３内に臨ませた状態で側壁１４５に取り付けられている。
【００８５】
上述のように構成されるホルダ１３は、図１６及び図１７に示すように、コネクタ取付部１４８を構成する規制板１４９ａ，１４９ｂに設けられたガイド突起１５９，１５９がシャーシ１４のガイド孔１３０，１３０に係合し、コネクタ取付部１４８に取り付けられた端子板１５３の位置決め突起１５８，１５８がシャーシ１４のガイド孔１２９，１２９に係合する。更に、ホルダ１３は、シャーシ１４側の回動アーム１３１の支軸１３２がホルダ１３のメモリ支持板１８に形成されたガイド孔１７１に係合されることにより、シャーシ１４の第１及び第２の側壁１６，１７間にスライド可能に取り付けられる。ホルダ１３は、板状メモリ１の挿脱が行われるシャーシ１４の前面側の挿脱位置と、板状メモリ１内の半導体メモリに対して情報信号の書き込み又は読み出しを行うシャーシ１４の背面側の装着位置とに亘ってスライドされる。ここで、挿脱位置とは、上述した図７に示す状態であり、装着位置とは、上述した図８に示す状態である。ホルダ１３が挿脱位置にあるとき、板状メモリ１の挿脱が行われ、ホルダ１３が装着位置にあるときに、板状メモリ１内の半導体メモリに対して情報信号の書き込み又は読み出しが行われる。
【００８６】
シャーシ１４とホルダ１３とは、図１６及び図１７に示すように、付勢部材であるトグルバネ２７により接続される。このトグルバネ２７は、線状部材が巻回されてなるコイル部１７４と、コイル部１７４より一方の側に延びた第１のアーム部１７５と、コイル部１７４より他方の側に延びた第２のアーム部１７６とからなる。そして、第１のアーム部１７５の先端部には、シャーシ１４側に係合される第１の係合部１７５ａが形成され、第２のアーム部１７６の先端部には、ホルダ１３側に係合される第２の係合部１７６ａが形成されている。第１の係合部１７５ａは、シャーシ１４を構成する底板１５の裏面側に設けられた第１の係合突起１７７に係合され、第２の係合部１７６ａは、ホルダ１３を構成するメモリ支持板１８の裏面側に設けられた第２の係合突起１７８に係合される。
【００８７】
上述のようにシャーシ１４とホルダ１３を接続したトグルバネ２７は、ホルダ１３がシャーシ１４の前面側に移動した挿脱位置にあるとき、図１６及び図１７中反矢印Ｂ方向に付勢する第１の状態にある。ホルダ１３がシャーシ１４に対して図１６及び図１７中矢印Ｂ方向にスライド操作されると、トグルバネ２７は、ホルダ１３を図１６及び図１７中矢印Ｂ方向に付勢する第２の状態に反転し、ホルダ１３をシャーシ１４の背面側の装着位置にスライドさせる。また、ホルダ１３が装着位置にあるとき、シャーシ１４の底板１５に取り付けられた回動アーム１３１が図１７中矢印Ｃ方向に回動されると、回動アーム１３１の一端に形成された押圧部１３３は、ホルダ１３の第２の係合突起１７８を押圧する。第２の状態にあるトグルバネ２７は、回動アーム１３１の押圧部１３３がホルダ１３の第２の係合突起１７８を押圧する押圧力を受けて、ホルダ１３が図１７中反矢印Ｂ方向にスライドされることにより、図１７中反矢印Ｂ方向にホルダ１３を付勢する第１の状態に反転し、ホルダ１３を挿脱位置に移動させる。
【００８８】
上述のようにホルダ１３がスライド可能に取り付けられたシャーシ１４には、ホルダ１３の前面側に形成された板状メモリ１の挿脱口２１とシャーシ１４の前面を開閉する蓋体２９が回動可能に取り付けられている。蓋体２９は、図１６、図１７、図１９及び図２０に示すように、挿脱口２１及びシャーシ１４の前面を閉塞する閉塞板１８２と、この閉塞板１８２の両側に形成される第１及び第２の回動支持アーム１８３，１８４とを備える。
【００８９】
閉塞板１８２は、ホルダ１３の挿脱口２１及びシャーシ１４の前面を閉塞する第１の閉塞部１８５と、シャーシ１４の底板１５の前面に形成された切欠部１８０に嵌合する第２の閉塞部１８６とからなる。
【００９０】
シャーシ１４の第１の側壁１６側に位置する第１の回動支持アーム１８３は、図１９に示すように、先端側に、蓋体２９を回動支持するための第１の支持孔１８７が形成されている。この第１の支持孔１８７は、シャーシ１４の第１の側壁１６の前面側に設けられた第１の支軸１８８に係合される。蓋体２９は、第１の回動支持アーム１８３側で、付勢部材であるトーションバネ１８９により挿脱口２１を閉塞する図２０中矢印Ｅ方向に回動付勢されている。トーションバネ１８９は、基体部１８９ａがシャーシ１４の第１の側壁１６に形成された係合片１９１に係合される。更に、トーションバネ１８９は、一方のアーム部１８９ｂが第１の移動支持アーム１８３の先端部に形成された係止部１９２に係止され、他方のアーム部１８９ｃが第１の側壁１６に形成された係止部１９３に係止されることで、蓋体２９を図２０中矢印Ｅ方向に回動付勢している。
【００９１】
シャーシ１４の第２の側壁１７側に位置する第２の回動支持アーム１８４は、図２０に示すように、先端側に第１の支持孔１８７とともに蓋体２９を回動支持するための第２の支持孔１９４が形成されている。この第２の支持孔１９４は、シャーシ１４の第２の側壁１７の前面側に設けられた第２の支軸１９５に係合される。第２の回動支持アーム１８４の先端部には、イジェクト部材２８により押圧されて蓋体２９を図２０中反矢印Ｅ方向に回動するための突部１９６が設けられる。突部１９６の下側には、閉塞板１８２側にイジェクト部材２８のカム部が接触しやすくするため傾斜面部１９７が形成されている。
【００９２】
上述のような蓋体２９は、図１９及び図２０に示すように、第１及び第２の支持孔１８７，１９４に第１及び第２の支軸１８８，１９５が係合されることで、第１及び第２の支軸１８８，１９５を中心に図１９及び図２０中矢印Ｅ方向及び反矢印Ｅ方向に回動可能に支持されている。蓋体２９は、トーションバネ１８９の付勢力により、シャーシ１４の前面を閉塞する図１９及び図２０中矢印Ｅ方向に回動付勢されている。第２の回動支持アーム１８４に形成された突部１９６の傾斜面部１９７がイジェクト部材２８のカム部により押圧されることで、蓋体２９は、図１９及び図２０中反矢印Ｅ方向に第１及び第２の支軸１８８，１９５を中心に回動され、シャーシ１４の前面及びホルダ１３の挿脱口２１を開放する。
【００９３】
シャーシ１４の第２の側壁１７には、図１６及び図１７に示すように、シャーシ１４とホルダ１３とを連結するトグルバネ２７によりシャーシ１４の背面側である装着位置にあるホルダ１３を、シャーシ１４の前面側の挿脱位置に移動させるイジェクト部材２８が設けられる。イジェクト部材２８は、第２の側壁１７に長手方向、すなわち図２０中矢印Ｂ方向及び反矢印Ｂ方向にスライド可能に取り付けられている。イジェクト部材２８は、図２０に示すように、シャーシ１４の第２の側壁１７の高さとほぼ同じ幅を有し、長尺の略矩形状に金属板を打ち抜いて形成されている。イジェクト部材２８には、長手方向に沿って、第１のガイド孔２０２と第２のガイド孔２０３とが形成されている。第１のガイド孔２０２には、シャーシ１４の第２の側壁１７に設けられたガイド突部２０４が係合され、第２のガイド孔２０３には、第２の側壁１７に形成されたガイド片２０５が係合される。イジェクト部材２８は、第１のガイド孔２０２に第２の側壁１７に形成されたガイド突部２０４に形成されたねじ孔２０６ａに、止めねじ２０６が螺合されることにより第２の側壁１７に取り付けられる。
【００９４】
イジェクト部材２８は、図２０に示すように、付勢部材である引っ張りバネ３０により図２０中反矢印Ｂ方向に付勢されている。この引っ張りバネ３０は、一端がイジェクト部材２８のシャーシ１４の背面側に対応する端部に形成されたバネ係止片２１１に係止され、他端がシャーシ１４の第２の側壁１７の長手方向の中程に形成されたバネ係止片２１２に係止されることで、イジェクト部材２８を図２０中反矢印Ｂ方向に付勢している。
【００９５】
上述のようにシャーシ１４の第２の側壁１７に取り付けられるイジェクト部材２８には、図２０に示すように、シャーシ１４の前面側に位置する一端側に、シャーシ１４の底板１５と平行となるように折曲して、上述した蓋体２９の第２の回動支持アーム１８４に形成された突部１９６を押圧するカム部２０７が形成されている。カム部２０７は、シャーシ１４の底板１５に形成された開口部１３６よりシャーシ１４内に臨まされている。そして、カム部２０７は、蓋体２９の第２の回動支持アーム１８４に設けられた突部１９６の下側に形成された傾斜面部１９７を押圧しやすくするため、シャーシ１４の背面側となる側に下側に折曲した折曲部２０８が形成されている。
【００９６】
イジェクト部材２８のシャーシ１４の前面側に位置する一端側には、上述した回動アーム１３１の他端側に形成された被押圧部１３４をシャーシ１４の背面側、すなわち図２０中矢印Ｃ方向に押圧する操作片２０９がシャーシ１４の底板１５と平行となるように折曲して形成されている。操作片２０９には、イジェクト部材２８の先端側に上側に折曲して押圧部２１０が形成されている。操作片２０９に形成された押圧部２１０は、シャーシ１４の底板１５に形成された開口部１３６よりシャーシ１４内に臨まされ、回動アーム１３１の被押圧部１３４に係合される。
【００９７】
更に、イジェクト部材２８の一端側には、図示しないが装置本体を構成する筐体より外方に臨まされたイジェクト操作部５０によりスライド操作される操作子２８ａが折り曲げ形成されている。イジェクト部材２８は、操作子２８ａが図２０中矢印Ｂ方向にスライド操作されることで、同方向にスライドされる。
【００９８】
上述のようなイジェクト部材２８は、ホルダ１３がシャーシ１４の背面側の装着位置にある状態において、図２０に示すように、図２０中矢印Ｂ方向に押圧され、イジェクト部材２８を図２０中反矢印Ｂ方向に付勢する引っ張りバネ３０の付勢力に抗して図２０中矢印Ｂ方向にスライドされる。イジェクト部材２８が図２０中矢印Ｂ方向にスライドされると、カム部２０７は、蓋体２９の第２の回動支持アーム１８４に設けられた突部１９６の下側に形成された傾斜面部１９７を押圧し、蓋体２９をトーションバネ１８９の付勢力に抗してホルダ１３の挿脱口２１を開放する図２０中反矢印Ｅ方向に回動させる。これと同時に、操作片２０９に形成された押圧部２１０は、回動アーム１３１の被押圧部１３４を図２０中矢印Ｃ方向に押圧し、同方向に回動アーム１３１を回動させる。回動アーム１３１の一端に形成された押圧部１３３は、ホルダ１３の第２の係合突起１７８を押圧し、ホルダ１３を図１７中反矢印Ｂ方向にスライドさせる。回動アーム１３１の押圧部１３３がホルダ１３の第２の係合突起１７８を押圧する押圧力を受けて、ホルダ１３が図１７中反矢印Ｂ方向にスライドされる。ホルダ１３が図１７中反矢印Ｂ方向にスライドされると、トグルバネ２７は、ホルダ１３を図１７中反矢印Ｂ方向に付勢する第１の状態に反転し、ホルダ１３を挿脱位置に付勢し、ホルダ１３を挿脱位置に移動させる。
【００９９】
上述のように構成されたローディング装置１２０に板状メモリ１が挿入されてから板状メモリ１内の半導体メモリに対する情報信号の記録又は再生が行われるまでの一連の動作について説明する。先ず、非使用時のローディング装置１２０について説明すると、図１７に示すように、ホルダ１３は、シャーシ１４の前面側に移動した挿脱位置にあり、シャーシ１４とホルダ１３を接続するトグルバネ２７は、ホルダ１３をシャーシ１４の前面側の挿脱位置に付勢する第１の状態にある。
【０１００】
蓋体２９は、蓋体２９側の係止部１９２とシャーシ１４側の係止部１９３に係止されたトーションバネ１８９の付勢力により、シャーシ１４の前面を閉塞する図１９及び図２０中矢印Ｅ方向に回動付勢され、シャーシ１４の前面及び挿脱位置にあるホルダ１３の挿脱口２１を閉塞する。蓋体２９は、ホルダ１３の挿脱口２１からローディング装置１２０内に塵埃等が侵入することを防止している。
【０１０１】
回動アーム１３１は、押圧部１３３がシャーシ１４の前面側に位置するように、図１７中矢印Ｃ方向に回動されている。また、シャーシ１４の第１の側壁１６に取り付けられた規制部材１６１は、図１８に示すように、一方のアーム部１６７ｂが側壁１４５に形成された係止片１６８に係止され、他方のアーム部１６７ｃが回動アーム１３１に形成された係止片１６９に係止されたトーションバネ１６７により図１８中矢印Ｄ方向に回動付勢される。規制部材１６１は、先端部の係止部１６５がホルダ１３のメモリ支持板１８に形成された開口部１６４の近傍の裏面に係止された状態にあり、先端側に設けられた係合突部１６３がホルダ１３内に臨み、規制孔１６６がシャーシ１４の底板に設けられた係合突起１７０と係合していない状態にある。すなわち、ホルダ１３は、規制部材１６１の規制孔１６６がシャーシ１４の係合突起１７０に係合されていないことにより、シャーシ１４に対し、背面側となる図１７中矢印Ｂ方向に移動可能な状態にある。
【０１０２】
イジェクト部材２８は、イジェクト部材２８側のバネ係止片２１１とシャーシ１４側のバネ係止片２１２とに係止された引っ張りバネ３０により、シャーシ１４の前面側となる図１７及び図２０中反矢印Ｂ方向にスライドされた状態にある。
【０１０３】
この状態は、上述した図７に示す状態であり、ユーザは、ハウジング１２に設けられた第２の窓部３７を介して覆板２５に設けられた表示部２６を目視することができ、ユーザは、板状メモリ１の記録及び／又は再生装置１１への挿入方向を容易に識別することができる。
【０１０４】
上述のような非使用時のローディング装置１２０には、図２１に示すように、板状メモリ１が端子部３が設けられた前面側を挿入端とし、主面２ａをシャーシ１４の底板１５と対向する下側にして挿入される。板状メモリ１がローディング装置１２０の前面側より挿入されるとき、蓋体２９は、手指又は板状メモリ１の前面部を引っかける等して、蓋体２９をシャーシ１４の前面を閉塞する図１９及び図２０中矢印Ｅ方向に付勢するトーションバネ１８９の付勢力に抗して、シャーシ１４の前面側、すなわちシャーシ１４の前面側の挿脱位置にあるホルダ１３の挿脱口２１を開放する同図中反矢印Ｅ方向に回動される。
【０１０５】
シャーシ１４の前面を蓋体２９が開放すると同時に、図２１に示すように、ホルダ１３の挿脱口２１からは、板状メモリ１が端子部３を挿入端として挿入される。図１６及び図２１に示すように、板状メモリ１の前面側の先端と主面２ａ側に形成された係合凹部８との間の領域がホルダ１３内に臨まされた規制部材１６１上を図２１中矢印Ｂ方向に移動しているとき、規制部材１６１は、ホルダ１３内に臨まされた規制部材１６１の係合突部１６３が板状メモリ１の先端と主面２ａ側に形成された係合凹部８との間の領域により押圧されることで、トーションバネ１６７の付勢力に抗して、支軸１６２ａを回動支点として、図２１中反矢印Ｄ方向に回動される。規制部材１６１が反矢印Ｄ方向に回動されることにより、規制部材１６１の規制孔１６６は、図１８及び図２１に示すように、シャーシ１４側の係合突起１７０と係合され、シャーシ１４の前面側の挿脱位置にあるホルダ１３は、板状メモリ１の挿入に伴ってシャーシ１４の背面側の図２１中矢印Ｂ方向にスライドすることを禁止された状態となる。ホルダ１３は、板状メモリ１の端子部３がホルダ１３に設けられたコネクタ２２の第１の接続端子２３に接続されるまで規制部材１６１により挿脱位置にロックされることで、確実に端子部３を構成する電極３ｂがコネクタ２２の第１の接続端子２３に接続される。
【０１０６】
更に板状メモリ１がローディング装置１２０内に挿入されると、図２２及び図２３に示す状態となる。すなわち、ホルダ１３がシャーシ１４の前面側の挿脱位置にあるとき、板状メモリ１が挿脱位置にあるホルダ１３に完全に挿入されると、板状メモリ１は、ホルダ１３の背面側に配設されたコネクタ２２の挿入口１５５より挿入される。コネクタ２２の第１の接続端子２３は、板状メモリ１の端子部３の開放端より係合凹部３ｃに係合し、電極３ｂを押圧した状態で電極３ｂと電気的な接続が図られる。
【０１０７】
板状メモリ１の係合凹部３ｃに第１の接続端子２３が係合し、電極３ｂと第１の接続端子２３とが接続されたとき、板状メモリ１の係合凹部８は、ホルダ１３内の規制部材１６１の係合突部１６３の上方に位置する。すると、これまで板状メモリ１の先端から係合凹部８に亘る領域に係合突部１６３が押圧され、図２３中反矢印Ｄ方向に回動されていた規制部材１６１は、板状メモリ１の係合凹部８と規制部材１６１の係合突部１６３が係合可能な状態となることで、トーションバネ１６７の付勢力により図２３中矢印Ｄ方向に回動され、係合突部１６３が板状メモリ１の係合凹部８に係合される。これにより、これまでシャーシ１４の係合突起１７０に係合されていた規制部材１６１の規制孔１６６と係合突起１７０との係合状態は解除され、ホルダ１３は、シャーシ１４の背面側である装着位置の方向である図２２及び図２３中矢印Ｂ方向にスライド可能な状態になる。板状メモリ１がホルダ１３に完全に挿入されたとき、図１７に示すように、コネクタ２２に設けられた弾性係合片１６０は、板状メモリ１の脱落防止用凹部７に係合し、板状メモリ１がホルダから抜け落ちることを防止している。弾性係合片１６０は、板状メモリ１の脱落防止用凹部７に係合したとき、弾性変位することで利用者にクリック感を与え、板状メモリ１がホルダ１３内に完全に挿入されたこと、すなわち、端子部３と第１の接続端子２３とが確実に係合していることをユーザに認識させる。この状態は、上述した図７に示す状態であり、ユーザが第２の窓部３７を介して覆板２５に設けられた表示部２６を目視することができる状態である。
【０１０８】
ここで、板状メモリ１が上述のような正規な状態でローディング装置１２０に挿入されなかった場合、すなわち板状メモリ１が背面側から挿入された場合や板状メモリ１が主面２ａを上側にされて挿脱口２１より挿入された場合には、挿脱位置にあるホルダ１３に挿入された場合であっても、板状メモリ１の係合凹部８に規制部材１６１の係合突部１６３が係合されることはない。すなわち、図２２及び図２３に示す位置まで板状メモリ１が挿入されても、ホルダ１３内の規制部材１６１の係合突部１６３の上方には、板状メモリ１の係合凹部８がないことから、規制部材１６１は、係合突部１６３が板状メモリ１の主面に押圧されたままの状態である。すなわち、規制孔１６６がシャーシ１４の係合突起１７０と係合された状態が続くことになる。したがって、挿脱位置にあるホルダ１３は、板状メモリ１の挿入に伴ってシャーシ１４の背面側の図２１中矢印Ｂ方向にスライドすることが禁止される。これにより、ローディング装置１２０は、板状メモリ１が誤挿入された場合に、挿脱位置にあるホルダ１３がシャーシ１４の背面側の装着位置の方向である図２２及び図２３中Ｂ方向にスライドすることが禁止され、板状メモリ１の誤挿入が防止される。板状メモリ１が正規の状態で挿入されなかったとき、弾性係合片１６０は、板状メモリ１の脱落防止用凹部７に係合しないことから、板状メモリ１が挿脱位置にあるホルダ１３に、端子部３の係合凹部３ｃに第１の接続端子２３が係合し電極３ｂと電気的に接続するまで挿入されることを阻止し、板状メモリ１の誤挿入を防止する。
【０１０９】
図２２及び図２３に示すように、板状メモリ１がシャーシ１４の前面側の挿脱位置にあるホルダ１３に完全に挿入された後、更に板状メモリ１が図２２及び図２３中矢印Ａ方向に押圧されると、図２４に示すように、板状メモリ１は、ローディング装置１２０内に完全に収納され、ローディング装置１２０に装着され、半導体メモリに対して情報信号の記録又は再生が可能な状態となる。すなわち、図２４に示すように、板状メモリ１が図２２及び図２３に示す状態から更に押圧されると、ホルダ１３は、規制部材１６１の規制孔１６６とシャーシ１４の係合突起１７０との係合状態が解除され、シャーシ１４の背面側である装着位置の方向である図２２及び図２３中矢印Ｂ方向にスライド可能な状態にある。
【０１１０】
ホルダ１３が板状メモリ１により図２４中矢印Ｂ方向へ押圧されると、トグルバネ２７が図２４中矢印Ｂ方向に付勢されて第１の状態から反転し、同図中反矢印Ｂ方向にホルダ１３を付勢する第２の状態となる。トグルバネ２７が図２４中矢印Ｂ方向に付勢されることで、ホルダ１３はシャーシ１４の背面側の装着位置にスライドされる。これにより、コネクタ２２に接続された板状メモリ１は、ローディング装置１２０内に完全に収納される。板状メモリ１の背面側でシャーシ１４の前面側を閉塞することを阻止されていた蓋体２９は、トーションバネ１８９の付勢力を受けて図２３中矢印Ｅ方向に回動され、シャーシ１４の前面を閉塞し、ローディング装置１２０内に塵埃等が侵入することを防止する。また、シャーシ１４の底板１５に回動可能に取り付けられた回動アーム１３１は、ホルダ１３が図２４中矢印Ｂ方向にスライドすることで、一端側の押圧部１３３がトグルバネ２７の第２のアーム部１７６の係合部１７６ａが係合された第２の係合突起１７８により押圧され、図２４中反矢印Ｃ方向に回動される。
【０１１１】
上述のように板状メモリ１の電極３ｂとコネクタ２２の第１の接続端子２３とが接続された状態で、シャーシ１４の背面側の装着位置に装着された板状メモリ１は、コネクタ２２の第２の接続端子２４に接続されたフレキシブル配線基板を介して制御される。具体的には、板状メモリ１は、この装着位置に装着された状態において、コンピュータ等のデータ処理装置からの制御信号により、カード本体２に内蔵された半導体メモリに対し情報信号の書き込みが行われ、あるいは、半導体メモリに記憶された情報信号の読み出しが行われる。この状態は、上述した図８に示す状態であり、ユーザは、ハウジング１２に設けられた第２の窓部３７を介して記録及び／又は再生装置１１に装着された板状メモリ１のラベル貼着部９に貼着されたラベル１０の記載を目視することができる。
【０１１２】
上述のように板状メモリ１が装着されたローディング装置１２０は、次のように板状メモリ１をローディング装置１２０から排出する。すなわち、図２５及び図２６に示すように、装置本体の筐体より外方に臨まされたイジェクト操作部５０を介して操作子２８ａが図２５及び図２６中矢印Ｂ方向に押圧されると、イジェクト部材２８は、引っ張りバネ３０の付勢力に抗して図２５及び図２６中矢印Ｂ方向にスライドされる。このとき、イジェクト部材２８のカム部２０７は、蓋体２９の第２の回動支持アーム１８４に設けられた突部１９６を図２５及び図２６中矢印Ｂ方向に押圧する。そして、図２０に示すように、カム部２０７には、折曲部２０８が形成され、突部１９６には、下側の折曲部２０８と対向する位置に傾斜面部１９７が形成されていることから、カム部２０７は、突部１９６を確実に押圧することができる。カム部２０７が蓋体２９の突部１９６を押圧することで、トーションバネ１８９の付勢力によりシャーシ１４の前面を閉塞している蓋体２９は、カム部２０７が蓋体２９の突部１９６を押圧する押圧力を受けて、トーションバネ１８９の付勢力に抗して図２６中反矢印Ｅ方向に回動され、シャーシ１４の前面を開放し、板状メモリ１を排出可能な状態にする。
【０１１３】
これと同時に、イジェクト部材２８の操作片２０９に形成された押圧部２１０は、図２５中反矢印Ｃ方向に回動され、被押圧部１３４がシャーシ１４の前面側に位置している回動アーム１３１の被押圧部１３４に当接される。そして、イジェクト操作部５０が更に操作され、更に、イジェクト部材２８が更に図２５及び図２６中矢印Ｂ方向にスライドされると、押圧部２１０は、回動アーム１３１の被押圧部１３４を押圧し、回動アーム１３１を図２５中矢印Ｃ方向に回動させる。すると、イジェクト部材２８の押圧部２１０が回動アーム１３１の被押圧部１３４を押圧する押圧力を受けて、回動アーム１３１の押圧部１３３は、トグルバネ２７の第２のアーム部１７６の係合部１７６ａが係合された第２の係合突起１７８を押圧する。シャーシ１４とホルダ１３を接続した第２の状態にあるトグルバネ２７は反転し、ホルダ１３を図２５中反矢印Ｂ方向に付勢する第１の状態に戻り、ホルダ１３を図２５及び図２６中反矢印Ｂ方向にスライドさせる。これにより、シャーシ１４の背面側にあったホルダ１３は、シャーシ１４の前面側の挿脱位置にスライドし、保持している板状メモリ１の背面側をシャーシ１４の前面よりローディング装置１２０外に臨ませる。
【０１１４】
シャーシ１４の前面より背面側が外方に臨まされた板状メモリ１は、利用者によりシャーシ１４の前面側の挿脱位置にあるホルダ１３より引き抜かれ、板状メモリ１の端子部３とコネクタ２２の第１の接続端子２３との接続が解除される。この後、蓋体２９は、トーションバネ１８９の付勢力により、シャーシ１４の前面を閉塞する図２５及び図２６中矢印Ｅ方向に回動され、シャーシ１４の前面及び挿脱位置にあるホルダ１３の挿脱口２１を閉塞し、ローディング装置１２０内に塵埃等が侵入しないようにする。
【０１１５】
上述のように構成された板状メモリ１のローディング装置１２０は、板状メモリ１を排出するとき、利用者が装置本体の筐体に設けられたイジェクト操作部を操作する押圧力を受けて、シャーシ１４の背面側の装着位置にあるホルダ１３をシャーシ１４の前面側の挿脱位置に移動させるのみで、ホルダ１３に取り付けられたコネクタ２２の第１の接続端子２３と板状メモリ１の端子部３を構成する電極３ｂとの係合状態を解除させるものではない。すなわち、このローディング装置１２０では、最終的な板状メモリ１の取り出しは利用者により行われる。したがって、ローディング装置１２０は、イジェクトボタンを押圧操作することでコネクタ２２の第１の接続端子２３と板状メモリ１の端子部３の電極３ｂとの係合状態を解除させるローディング装置に比しイジェクト操作部を操作する操作力が小さくなり、容易に板状メモリ１のイジェクト操作を行うことができる。また、板状メモリ１が誤挿入されたときには、規制孔１６６がシャーシ１４側のシャーシ１４の係合突起１７０と係合した状態が維持されることになることから、ローディング装置１２０への誤挿入を防止することができる。
【０１１６】
上述の説明では板状メモリ１のローディング装置１２０への誤挿入を防止する手段として、規制部材１６１を用いた例を挙げて説明したが、板状メモリ１の誤挿入を防止する手段は、次のように構成してもよい。なお、以下説明するローディング装置２２０は、規制部材の部分を除いて、上述したローディング装置１２０とほぼ同様な構成を有するため、ローディング装置１２０と同一部材については同一の符号を付してその詳細は省略する。
【０１１７】
このローディング装置２２０は、図２７に示すように、ホルダ１３を構成する側壁１４５側に、ホルダ１３がシャーシ１４の前面側の挿脱位置からシャーシ１４の背面側に移動することを防止する規制部材２２１が取り付けられる。この規制部材２２１は、ホルダ１３の側壁１４５に沿って配設できるように長尺状に形成されている。この規制部材２２１は、中程に支持孔２２２が形成される。この支持孔２２２にホルダ１３の側壁１４５と並んで形成されたコネクタ取付部１４８を構成する規制壁１４９ｂに設けられた支軸２２３が挿通されることで、図２７中矢印Ｆ方向及び反矢印Ｆ方向に回動可能に取り付けられている。ここに示すローディング装置２２０は、ホルダ１３の背面側が開放された状態にある。
【０１１８】
規制部材２２１が規制壁１４９ｂに取り付けられたとき、規制部材２２１のホルダ１３の背面側に位置する後端部には、ホルダ１３の内方に向かって略直角に折曲した折曲片２２４が形成される。この折曲片２２４には、板状メモリ１がホルダ１３内に挿入されたとき、板状メモリ１の挿入端側に形成された傾斜面部３ａが突き当てられ押圧される被押圧部２２５が形成されている。この被押圧部２２５は、ホルダ１３の背面側よりホルダ１３内に臨まされ、ホルダ１３内に正規な状態で板状メモリ１が挿入されたとき、板状メモリ１の傾斜面部３ａと対向するように折曲片２２４の上端より下方に向かって鋭角に折曲して形成されている。
【０１１９】
規制部材２２１には、下端側の中程に、ホルダ１３の挿脱位置から装着位置への移動を規制する規制部２２６が形成され突出して形成されている。この規制部２２６は、ホルダ１３をシャーシ１４の前面側の挿脱位置にロックするとき、シャーシ１４の底板１５と第２の側壁１７とに亘って形成された係合孔２２７に係合される。シャーシ１４の底板１５と第２の側壁１７に亘る位置には、係合孔２２７よりシャーシ１４の背面側に、規制部２２６の逃げとなるスリット２２８が形成されている。規制部２２６は、挿脱位置にあるホルダ１３に板状メモリ１が挿入されるまでシャーシ１４の背面側の装着位置に移動しないようにするため、後端側に垂直面部２２９が形成され、係合孔２２７の後端に確実に係合するようにされている。規制部２２６は、ホルダ１３が板状メモリ１をイジェクトするため、シャーシ１４の背面側の装着位置から前面側の挿脱位置に移動する際、スリット２２８の前端を円滑に乗り上げることができるように、傾斜面部２３０が形成されている。
【０１２０】
規制部材２２１は、支持孔２２２にホルダ１３の規制壁１４９ｂに形成された支軸２２３が挿通され規制壁１４９ｂに図２７中矢印Ｆ方向及び反矢印Ｆ方向に回動可能に取り付けられる。このとき、規制部材２２１は、付勢部材であるトーションバネ２３１により、図２７中矢印Ｆ方向に回動付勢されている。トーションバネ２３１は、基体部２３１ａが規制部材２２１の被押圧部２２５が形成された後端部と対向する前端部に設けられた取付片２３２に取り付けられる。このトーションバネ２３１は、一方のアーム部２３１ｂがホルダ１３を構成する側壁１４５に形成された係止片２３３に係止され、他方のアーム部２３１ｃが規制部材２２１の下端に形成された係止片２３４に係止される。トーションバネ２３１は、規制部材２２１を図２７中矢印Ｆ方向に付勢し、規制部２２６を係合孔２２７に係合させる。
【０１２１】
図２７中矢印Ｆ方向に付勢されている規制部材２２１は、同図中Ｆ方向に回動し過ぎることを防止する回動規制突起２３５が設けられている。回動規制突起２３５は、シャーシ１４の第２の側壁１７の上端のカム部２３６に係合される。ホルダ１３がシャーシ１４の前面側の挿脱位置にあるとき、回動制御突起２３５は第１の水平面部２３６ａと係合する。ホルダ１３がシャーシ１４の背面側の装着位置にあるとき、回動制御突起２３５は第２の水平面部２３６ｂと係合する。カム部２３６は、第１及び第２の水平面部２３６ａ，２３６ｂと、これら第１及び第２の水平面部２３６ａ，２３６ｂとを連結する傾斜面部２３６ｃとから構成されている。第１の水平面部２３６ａは、第２の水平面部２３６ｂより１段低く形成されている。回動規制突起２３５は、ホルダ１３が挿脱位置から装着位置に移動するとき、第１の水平面部２３６ａ、傾斜面部２３６ｃ、第２の水平面部２３６ｂ上を、この順番に従って移動する。
【０１２２】
なお、規制部材２２１の支持孔２２２に挿通されたホルダ１３の支軸２２３は、シャーシ１４の第２の側壁１７に、ホルダ１３の移動方向に沿って形成されたガイド孔２３７に係合される。
【０１２３】
上述のように構成されたローディング装置２２０に板状メモリ１が挿入されてから板状メモリ１の半導体メモリに対して情報信号の記録又は再生を行うまでの一連の動作について説明する。先ず、非使用時のローディング装置２２０について説明すると、ホルダ１３は、図２８に示すように、シャーシ１４の前面側に移動した挿脱位置にある。このとき、規制部材２２１は、トーションバネ２３１の付勢力により、支軸２２３を中心にして、図２８中矢印Ｆ方向に回動され、規制部２２６をシャーシ１４の係合孔２２７に係合させた状態にある。したがって、規制部材２２１が取り付けられているホルダ１３は、シャーシ１４の前面側の挿脱位置にロックされた状態にある。このとき、規制部材２２１の回動規制突起２３５は、カム部２３６を構成する第１の水平面部２３６ａに係合されている。
この状態は、上述した図７に示す状態であり、ユーザは、ハウジング１２に設けられた第２の窓部３７を介して覆板２５に設けられた表示部２６を目視することができ、利用者は、板状メモリ１の記録及び／又は再生装置１１への挿入方向を容易にし識別することができる。
【０１２４】
上述のようなローディング装置２２０には、図２９に示すように、板状メモリが、端子部３側を挿入端として挿脱位置に規制部材２２１によりロックされているホルダ１３に挿入される。板状メモリ１がローディング装置２２０の前面側より挿入されるとき、蓋体２９に手指又は板状メモリ１の前面部を引きかける等して、蓋体２９をシャーシ１４の前面を開放する図２９中反矢印Ｅ方向に回動させてホルダ１３の挿脱口２１を開放する。
【０１２５】
シャーシ１４の前面が開放されると同時に、図２９に示すように、ホルダ１３の挿脱口２１から板状メモリ１が端子部３を挿入端として挿入される。このとき、コネクタ２２の第１の接続端子２３が板状メモリ１の端子部３の開放端より係合凹部３ｃに係合し、電極３ｂを押圧した状態で電極３ｂと電気的に接続される。第１の接続端子２３と電極３ｂとが接続されるまで、規制部材２２１の規制部２２６はシャーシ１４の係合孔２２７に係合され、ホルダ１３が挿脱位置にロックされていることから、第１の接続端子２３は、板状メモリ１の係合凹部３ｃに係合し、端子部７と確実に電気的な接続が図られる。板状メモリ１が挿脱位置にあるホルダ１３に完全に挿入されると、規制部材２２１の被押圧部２２５は、板状メモリ１の傾斜面部３ａに押圧される。すると、規制部材２２１は、支軸２２３を中心に、トーションバネ２３１の付勢力に抗して、図２９中反矢印Ｆ方向に回動され、規制部２２６と係合孔２２７との係合状態が解除され、ホルダ１３がシャーシ１４の前面側の挿脱位置から背面側の装着位置へ移動可能な状態となる。この状態は、上述した図７に示す状態であり、ユーザが第２の窓部３７を介して覆板２５に設けられた表示部２６を目視することができる状態である。
【０１２６】
板状メモリ１が上述のような正規な状態でローディング装置２２０に挿入されなかった場合には、第１の接続端子２３が板状メモリ１の端子部３を構成する係合凹部３ｃに係合されない。規制部材２２１の被押圧部２２５も、板状メモリ１の傾斜面部３ａに押圧されない。規制部材２２１は、図２８中反矢印Ｆ方向に回動されることなく、規制部２２６とシャーシ１４の係合孔２２７との係合状態が維持され、ホルダ１３は挿脱位置にロックされたままの状態となる。これにより、ローディング装置２２０は、板状メモリ１が誤挿入された場合に、挿脱位置にあるホルダ１３がシャーシ１４の背面側の装着位置の方向である図２８中Ｂ方向にスライドすることが禁止され、板状メモリ１の誤挿入が防止される。
【０１２７】
そして、図２９に示すように、板状メモリ１がシャーシ１４の前面側の挿脱位置にあるホルダ１３に完全に挿入された後、更に板状メモリ１が図２９中矢印Ｂ方向に押圧されると、図３０に示すように、板状メモリ１は、ローディング装置２２０内に完全に収納され、ローディング装置２２０に装着され、半導体メモリに対して情報信号の記録又は再生が可能な状態となる。すなわち、図３０に示すように、シャーシ１４の前面側の挿脱位置にあるホルダ１３は、規制部材２２１がトーションバネ２３１の付勢力に抗して図３０中反矢印Ｆ方向に回動し、規制部２２６と係合孔２２７との係合状態が解除された状態で、シャーシ１４の背面側の装着位置に移動される。このとき、規制部材２２１の回動規制突起２３５は、カム部２３６を構成する第１の水平面部２３６ａから傾斜面部２３６ｃを介して第１の水平面部２３６ａより１段高い第２の水平面部２３６ｂに移動する。規制部材２２１は、第１の水平面部２３６ａより１段高い第２の水平面部２３６ｂに移動することで、トーションバネ２３１の付勢力により図３０中矢印Ｆ方向に回動することが防止されている。そして、蓋体２９は、図３０中矢印Ｅ方向に回動され、ホルダ１３の挿脱口２１及びシャーシ１４の前面を閉塞し、ローディング装置２２０内に塵埃等が侵入することを防止する。
【０１２８】
この状態は、上述した図８に示す状態であり、ユーザは、ハウジング１２に設けられた第２の窓部３７を介して記録及び／又は再生装置１１に装着された板状メモリ１のラベル貼着部９に貼着されたラベル１０の記載を目視することができる。
【０１２９】
上述のように板状メモリ１が装着されたローディング装置２２０は、次のように板状メモリ１をローディング装置２２０から排出する。すなわち、装置本体の筐体より外方に臨まされたイジェクト操作部５０が操作されると、シャーシ１４の背面側の装着位置にあるホルダ１３は、シャーシ１４の前面側の挿脱位置に移動する。すると、図３０に示すように、トーションバネ２３１の付勢力に抗して図３０中反矢印Ｆ方向に回動している規制部材２２１は、回動規制突起２３５がカム部２３６を構成する第２の水平面部２３６ｂから１段低い第１の水平面部２３６ａ上に移動することで、図２９中矢印Ｆ方向に回動可能な状態となる。ここで、ホルダ１３には板状メモリ１が挿入されていることから、規制部材２２１は、被押圧部２２５が板状メモリ１の傾斜面部３ａに押圧された状態にあり、図２９中反矢印Ｆ方向に回動された状態におかれる。板状メモリ１の背面側は、蓋体２９が開放しているホルダ１３の挿脱口２１より外方に臨まされる。
【０１３０】
板状メモリ１が利用者により挿脱位置にあるホルダ１３より引き抜かれることにより、板状メモリ１の端子部３とコネクタ２２の第１の接続端子２３との接続が解除される。これと共に、規制部材２２１の被押圧部２２５は、板状メモリ１の傾斜面部３ａにより押圧された状態が解除され、図２８に示すように、トーションバネ２３１の付勢力により、図２８中矢印Ｆ方向に回動される。これにより、規制部材２２１の規制部２２６は、シャーシ１４の係合孔２２７に係合され、ホルダ１３は、シャーシ１４の前面側の挿脱位置にロックされる。板状メモリ１が完全にローディング装置２２０より引き抜かれた後、蓋体２９は、図２８中矢印Ｅ方向に回動され、挿脱位置にあるホルダ１３の挿脱口２１を閉塞し、ローディング装置２２０内に塵埃等が侵入することを防止する。
【０１３１】
ここに示すローディング装置２２０も、前述したローディング装置１２０と同様に、コネクタ２２をホルダ１３に取り付け、板状メモリ１の挿脱操作をユーザに委ねることで、板状メモリ１をローディング装置２２０より排出する際の操作力を小さくすることができ、使い勝手を良くすることができる。また、このローディング装置２２０は、板状メモリ１が正規な状態で挿脱位置にあるホルダ１３に挿入されたときに限って、規制部材２２１の被押圧部２２５が押圧され、規制部２２６とシャーシ１４の係合孔２２７との係合状態が解除され、情報信号の記憶又は再生を行うシャーシ１４の背面側の装着位置に移動可能となる。すなわち、板状メモリ１が正規な状態でホルダ１３に挿入されないときは、規制部材２２１の被押圧部２２５が押圧されず、規制部２２６と係合孔２２７との係合状態が解除されないことから、ホルダ１３が挿脱位置から装着位置に移動することがない。したがって、このローディング装置２２０も、板状メモリ１の誤挿入を防止することができる。
【０１３２】
上述の例では、規制部材がホルダ１３に取り付けられているが、規制部材はシャーシ１４に対してホルダ１３の移動を規制するものであればよい。したがって、規制部材は、シャーシ１４に取り付けるようにしてもよい。
【０１３３】
上述したように本発明に係るローディング装置１２０，２２０は、ホルダ１３が板状メモリ１を保持した状態で挿脱位置と装着位置とに亘って移動する。したがって、覆板２５は、ホルダ１３とともに移動するコネクタ２２に取り付けられているので、板状メモリ１の挿脱に関連してホルダ１３とともに第２の窓部３７内を移動する。したがって、ローディング装置１２０，２２０を備える記録及び／又は再生装置１１は、第２の窓部３７の大きさがホルダ１３の移動位置に応じて覆板２５の第２の窓部３７に対向する量が変化するように形成されることにより、覆板２５に施される表示部２６の第２の窓部３７に臨む状態が可変される。更に、表示部２６により、ホルダ１３に板状メモリ１が挿入された状態にあるか、板状メモリ１の挿入を可能とする位置にあるかをユーザが容易に識別することができる。すなわち、ホルダ１３が、図７に示すように、板状メモリ１の挿脱を可能となすハウジング１２の背面３１側に設けたメモリ挿脱口３２に近接する位置にあるとき、例えば覆板２５に設けた挿入方向を示す矢印で構成した表示部２６の全体がハウジング１２の外方に臨み、ホルダ１３が、図８に示すようにこのホルダ１３に挿入保持された板状メモリ１が記録及び／又は再生装置１１内の装着位置に装着される位置に移動されたとき、表示部２６を構成する矢印の一部、例えば矢の部分が覆われるような大きさに第２の窓部３７が形成されることにより、ユーザは、ホルダ１３に対する板状メモリ１の挿入状態を容易に確認することができる。
【０１３４】
【産業上の利用可能性】
本発明は、板状をなすメモリが装脱可能に装着される装置本体の中央部より一端側の位置に少なくとも操作モード若しくはメモリに記憶されているデータの選択する選択操作部を設け、装置本体の中央部より他端側の位置に装置本体に装着された板状メモリをイジェクトするイジェクト操作部を設けているので、操作モードの選択と板状メモリのイジェクト操作の誤操作を防止することができるので、小型化が可能な板状メモリを用い、一層の小型化が図れる記録及び／又は再生装置の操作性の向上を図ることができる。
【０１３５】
板状のメモリは、イジェクト操作部が設けられる装置本体の他端側から一端側に向かって装置本体内に挿入されるので、イジェクト操作部を操作する際、装置本体から突出する板状のメモリを手指で容易に支えることができるので、装置本体からの脱落等を防止して確実なイジェクト操作を行うことができる。
【図面の簡単な説明】
【図１】  本発明に係る記録及び／又は再生装置に用いられる板状メモリを示す斜視図である。
【図２】  上記板状メモリの底面側を示す斜視図である。
【図３】  本発明に係る記録及び／又は再生装置を背面側から見た斜視図である。
【図４】  上記記録及び／又は再生装置を底面側から見た斜視図である。
【図５】  本発明に係る記録及び／又は再生装置を構成するホルダを示す斜視図である。
【図６】  上記ホルダをシャーシに取り付けた状態を示す斜視図である。
【図７】  本発明に係る記録及び／又は再生装置に板状メモリを挿入する状態を示す平面図である。
【図８】  上記記録及び／又は再生装置に板状メモリを装着した状態を示す平面図である。
【図９】  本発明に係る記録及び／又は再生装置を把持して使用する状態を示す斜視図である。
【図１０】  選択操作部を構成する回動押圧型スイッチの基本状態を示す平面図である。
【図１１】  回動押圧型スイッチを回動操作したときの状態を示す平面図である。
【図１２】  上記回動押圧型スイッチを押圧操作したときの状態を示す平面図である。
【図１３】  上記回動押圧型スイッチの分解斜視図である。
【図１４】  上記回動押圧型スイッチの組立斜視図である。
【図１５】  上記回動押圧型スイッチに備えられるウエハの平面図である。
【図１６】  本発明が適用された記録及び／又は再生装置に内蔵される板状メモリのローディング装置の分解斜視図である。
【図１７】  上記ローディング装置の平面図である。
【図１８】  上記ローディング装置を構成するホルダに取り付けられた規制部材の取付状態を示す要部斜視図である。
【図１９】  シャーシに取り付けられる蓋体の取付状態を示す要部斜視図である。
【図２０】  シャーシに取り付けられるイジェクト部材の取付状態を示す要部斜視図である。
【図２１】  ローディング装置に板状メモリが挿入された状態を示す側面図である。
【図２２】  シャーシ前面側の挿脱位置にあるホルダに板状メモリが完全に差し込まれた状態を示すローディング装置の平面図である。
【図２３】  シャーシ前面側の挿脱位置にあるホルダに板状メモリが完全に差し込まれた状態を示すローディング装置の側面図である。
【図２４】  板状メモリがローディング装置に装着された状態を示すローディング装置の平面図である。
【図２５】  ローディング装置に装着された板状メモリを排出するときの初期状態を示すローディング装置の平面図である。
【図２６】  ローディング装置に装着された板状メモリを排出するときの初期状態を示すローディング装置の側面図である。
【図２７】  板状メモリのローディング装置の他の例を示す分解斜視図である。
【図２８】  上記ローディング装置の非使用時の状態を示す側面図である。
【図２９】  シャーシ前面側の挿脱位置にあるホルダに板状メモリが完全に差し込まれた状態を示すローディング装置の側面図である。
【図３０】  板状メモリがローディング装置に装着された状態を示すローディング装置の側面図である。
【図１】
0004649814.tif 000002
【図２】
0004649814.tif 000003
【図３】
0004649814.tif 000004
【図４】
0004649814.tif 000005
【図５】
0004649814.tif 000006
【図６】
0004649814.tif 000007
【図７】
0004649814.tif 000008
【図８】
0004649814.tif 000009
【図９】
0004649814.tif 000010
【図１０】
0004649814.tif 000011
【図１１】
0004649814.tif 000012
【図１２】
0004649814.tif 000013
【図１３】
0004649814.tif 000014
【図１４】
0004649814.tif 000015
【図１５】
0004649814.tif 000016
【図１６】
0004649814.tif 000017
【図１７】
0004649814.tif 000018
【図１８】
0004649814.tif 000019
【図１９】
0004649814.tif 000020
【図２０】
0004649814.tif 000021
【図２１】
0004649814.tif 000022
【図２２】
0004649814.tif 000023
【図２３】
0004649814.tif 000024
【図２４】
0004649814.tif 000025
【図２５】
0004649814.tif 000026
【図２６】
0004649814.tif 000027
【図２７】
0004649814.tif 000028
【図２８】
0004649814.tif 000029
【図２９】
0004649814.tif 000030
【図３０】
0004649814.tif 000031